(57)【特許請求の範囲】
【請求項１】
ダウンリンク情報の伝送方法であって、
ユーザ機器により、メッセージを受信するステップと、
前記ユーザ機器により、前記メッセージに従って、第1の基地局からダウンリンク情報を受信するための送信周期および送信パターンを判定するステップであって、前記メッセージは、前記第1の基地局が前記ダウンリンク情報を送信するための前記送信周期および前記送信パターンを運び、前記ダウンリンク情報は、同期信号および前記ユーザ機器が前記第1の基地局との無線接続を確立するために必要なシステムブロードキャストメッセージを含む、ステップと、
前記ユーザ機器により、前記送信周期および前記送信パターンに基づいて、前記第1の基地局から前記ダウンリンク情報を受信するステップと
を含むことを特徴とする方法。
【請求項２】
ユーザ機器により、メッセージを受信する前記ステップは、
前記ユーザ機器により、前記第1の基地局から前記メッセージを受信するステップ、または
前記ユーザ機器により、第2の基地局が前記第1の基地局から前記メッセージを受信した後に、前記第2の基地局から前記メッセージを受信するステップ
を含む、請求項1に記載の方法。
【請求項３】
前記メッセージは、前記第1の基地局が前記ダウンリンク情報を送信するための前記送信周期および前記送信パターンのうちの少なくとも一方が変更されたことを指示するために使用される、請求項1または2に記載の方法。
【請求項４】
メッセージを受信する前記ステップの前に、前記方法は、
前記ユーザ機器により、格納された送信周期および格納された送信パターンに基づいて、前記第1の基地局から前記ダウンリンク情報を受信するステップ
をさらに含む、請求項1から3のいずれか一項に記載の方法。
【請求項５】
ダウンリンク情報を受信するための装置であって、
メッセージを受信するように構成された受信機と、
前記メッセージに従って、第1の基地局からダウンリンク情報を受信するための送信周期および送信パターンを判定するように構成されたプロセッサであって、前記メッセージは、前記第1の基地局が前記ダウンリンク情報を送信するための前記送信周期および前記送信パターンを運び、前記ダウンリンク情報は、同期信号および前記装置が前記第1の基地局との無線接続を確立するために必要なシステムブロードキャストメッセージを含む、プロセッサと
を含み、
前記受信機は、前記送信周期および前記送信パターンに基づいて、前記第1の基地局から前記ダウンリンク情報を受信するようにさらに構成される、ことを特徴とする装置。
【請求項６】
前記受信機は、
前記第1の基地局から、または
第2の基地局が前記第1の基地局から前記メッセージを受信した後に、前記第2の基地局から
前記メッセージを受信するように構成される、請求項5に記載の装置。
【請求項７】
前記メッセージは、前記第1の基地局が前記ダウンリンク情報を送信するための前記送信周期および前記送信パターンのうちの少なくとも一方が変更されたことを指示するために使用される、請求項5または6に記載の装置。
【請求項８】
前記受信機は、前記メッセージを受信する前に、格納された送信周期および格納された送信パターンに基づいて、前記第1の基地局から前記ダウンリンク情報を受信するようにさらに構成される、請求項5から7のいずれか一項に記載の装置。
【請求項９】
ダウンリンク情報を送信するための方法であって、
第1の基地局により、ユーザ機器にメッセージを送信するステップであって、前記メッセージは、前記第1の基地局がダウンリンク情報を送信するための送信周期および送信パターンを運び、前記メッセージに従って、前記第1の基地局から前記ダウンリンク情報を受信するための前記送信周期および前記送信パターンが判定され、前記ダウンリンク情報は、同期信号および前記ユーザ機器が前記第1の基地局との無線接続を確立するために必要なシステムブロードキャストメッセージを含む、ステップと、
前記第1の基地局により、前記送信周期および前記送信パターンに基づいて、前記ユーザ機器に前記ダウンリンク情報を送信するステップと
を含むことを特徴とする方法。
【請求項１０】
前記メッセージは、前記第1の基地局が前記ダウンリンク情報を送信するための前記送信周期および前記送信パターンのうちの少なくとも一方が変更されたことを指示するために使用される、請求項9に記載の方法。
【請求項１１】
ダウンリンク情報を送信するための装置であって、
ユーザ機器にメッセージを送信し、送信周期および送信パターンに基づいて、前記ユーザ機器にダウンリンク情報を送信するように構成された送信機であって、前記メッセージは、第1の基地局が前記ダウンリンク情報を送信するための前記送信周期および前記送信パターンを運び、前記メッセージに従って、前記ダウンリンク情報を受信するための前記送信周期および前記送信パターンが判定され、前記ダウンリンク情報は、同期信号および前記ユーザ機器が前記第1の基地局との無線接続を確立するために必要なシステムブロードキャストメッセージを含む、送信機
を含むことを特徴とする装置。
【請求項１２】
前記メッセージは、前記第1の基地局が前記ダウンリンク情報を送信するための前記送信周期および前記送信パターンのうちの少なくとも一方が変更されたことを指示するために使用される、請求項11に記載の装置。
【請求項１３】
コンピュータプログラムを記録したコンピュータ読み取り可能な記録媒体であって、
前記コンピュータプログラムは、データを配置するための少なくとも1つのコードセクションを含み、
前記少なくとも1つのコードセクションは、1つ以上のプロセッサによって実行可能であり、実行されたとき、請求項1から4のいずれか一項に記載の方法を前記1つ以上のプロセッサに実行させる、コンピュータ読み取り可能な記録媒体。
【請求項１４】
コンピュータプログラムを記録したコンピュータ読み取り可能な記録媒体であって、
前記コンピュータプログラムは、データを配置するための少なくとも1つのコードセクションを含み、
前記少なくとも1つのコードセクションは、1つ以上のプロセッサによって実行可能であり、実行されたとき、請求項9または10に記載の方法を前記1つ以上のプロセッサに実行させる、コンピュータ読み取り可能な記録媒体。
【発明の詳細な説明】
【技術分野】
【０００１】
本発明は、通信技術の分野に関し、特に、ダウンリンク情報の伝送方法、基地局、およびユーザ機器に関する。
【背景技術】
【０００２】
人々の生活のペースが加速するにつれて、人々はモバイルサービスの品質に対するより高い要求を有する。
【０００３】
従来技術では、基地局のカバレッジに入るユーザ機器（User Equipment、UE）が基地局への無線接続を迅速に確立できるように、基地局は、同期信号、ディスカバリ信号、またはシステムブロードキャストメッセージなどの固定された送信方式でダウンリンク情報を定期的に送信することができる。例えば、ロングタームエボリューション（Long Term Evolution、LTE）システムでは、基地局は5msごとに同期情報を送信し、1msごとに測定信号を送信し、10msごとにシステムブロードキャストメッセージを送信する必要がある。一方で、ダウンリンク情報の定期的な送信は、ダウンリンクリソースのかなりの部分を占めることがある。このようにして、データ伝送に使用されるダウンリンクリソースが減少させられ、ダウンリンクリソースの利用率が低くなる。他方で、基地局が固定された送信方式で定期的にダウンリンク情報を送信するときに、時間内にUEが基地局との無線接続を確立できることはある程度保証されるが、高速アクセスのためのユーザのネットワークに対する要求をまだ満足させることができない。
【０００４】
結論として、既存のダウンリンク情報の伝送方法は、ユーザの要求を満足させることができず、オーバーヘッドは比較的大きい。
【発明の概要】
【課題を解決するための手段】
【０００５】
これを考慮して、本発明の実施態様は、高速アクセスのためのユーザのネットワークに対する要求を満たすことができないという従来技術の問題点を解決するためのダウンリンク情報の伝送方法、基地局、およびユーザ機器を提供し、そうすることで、UEが時間内にダウンリンク情報を得ることができ、かつ基地局との無線接続を迅速に確立することができ、それによってUEがネットワークにアクセスするための時間を短縮し、ユーザエクスペリエンスを改善することができる。
【０００６】
上記の目的を達成するために、本発明の使用の実施態様において、以下の技術的解決策を用いる。
【０００７】
第1の態様によれば、ダウンリンク情報の伝送方法が提供され、本方法は、第1の基地局により、第1のパターンに従って第1の周期を使用してダウンリンク情報を送信するステップと、第1の基地局がダウンリンク情報の送信周期および／または送信パターンを変更することを決定した場合に、第1の基地局により、第1のパターンに従って第2の周期を使用して、または第2のパターンに従って第1の周期を使用して、または第2のパターンに従って第2の周期を使用して、ダウンリンク情報を送信するステップであって、第2の周期は第1の周期よりも短く、第2のパターンによって占有される直交周波数分割多重（OFDM）シンボルは、第1のパターンによって占有されるOFDMシンボルよりも多い、ステップとを含む。
【０００８】
第1の態様を参照して、第1の態様の第1の可能な実施態様では、第1の基地局がダウンリンク情報の送信周期および／または送信パターンを変更することを決定することは、予め設定された条件が満たされたと第1の基地局が判定した後に、第1の基地局により、ダウンリンク情報の送信周期および／または送信パターンを変更することを決定することであって、予め設定された条件は、ユーザ機器（UE）によって送信されたアップリンクパイロットの測定値が指定値よりも大きいことを第1の基地局が検出すること、または、第1の基地局がUEによって送信された近接指示メッセージ、アクセスシーケンス、もしくはスケジューリング要求信号を受信すること、または、第1の基地局が第2の基地局によって送信された第1の指示メッセージを受信することを含み、第1の指示メッセージは、ダウンリンク情報の送信周期および／または送信パターンを変更するように第1の基地局に指示するために使用される、ことを含む。
【０００９】
第1の態様の第1の可能な実施態様を参照して、第1の態様の第2の可能な実施態様では、第1の基地局により、ダウンリンク情報を送信するステップの後に、本方法は、UEが第1の基地局にアクセスした後に、第1の基地局により、第1のパターンに従って第1の周期を使用して、予め設定された時点でダウンリンク情報を送信するステップ、または、第1の基地局により、予め設定された時間の後に、第1のパターンに従って第1の周期を使用してダウンリンク情報を送信するステップをさらに含む。
【００１０】
第1の態様の第1の可能な実施態様または第1の態様の第2の可能な実施態様を参照して、第1の態様の第3の可能な実施態様では、予め設定された条件が、第1の基地局が第2の基地局によって送信された第1の指示メッセージを受信することである場合に、第1の基地局により、ダウンリンク情報を送信するステップの後に、本方法は、第1の基地局により、第2の周期の識別子および／または第2のパターンの識別子を第2の基地局に送信するステップか、または、第1の基地局により、第2の基地局によって送信された要求メッセージを受信するステップであって、要求メッセージは、第2の周期の識別子および／または第2のパターンの識別子を取得することを要求するために使用される、ステップ、および、第1の基地局により、要求応答メッセージを第2の基地局に送信するステップであって、要求応答メッセージは、第2の周期の識別子および／または第2のパターンの識別子を運ぶ、ステップかをさらに含む。
【００１１】
第1の態様の第1の可能な実施態様または第1の態様の第2の可能な実施態様を参照して、第1の態様の第4の可能な実施態様では、予め設定された条件が、ユーザ機器（UE）によって送信されたアップリンクパイロットの測定値が指定値よりも大きいことを第1の基地局が検出すること、または、第1の基地局がUEによって送信された近接指示メッセージ、アクセスシーケンス、もしくはスケジューリング要求信号を受信することである場合に、第1の基地局により、ダウンリンク情報を送信するステップの後に、本方法は、第1の基地局により、第2の指示メッセージをUEに送信するステップであって、第2の指示メッセージは、ダウンリンク情報を送信するために第1の基地局によって使用される周期および／またはパターンが変更されたことを示すために使用される、ステップをさらに含む。
【００１２】
第1の態様の第4の可能な実施態様を参照して、第1の態様の第5の可能な実施態様では、第2の指示メッセージは、第2の周期の識別子および／または第2のパターンの識別子を運ぶ。
【００１３】
第1の態様の第4の可能な実施態様または第1の態様の第5の可能な実施態様を参照して、第1の態様の第6の可能な実施態様では、第1の基地局により、ダウンリンク情報を送信するステップの後に、本方法は、第1の基地局により、第1の基地局によってカバーされる少なくとも1つの第1のUEに第2の指示メッセージを送信するステップをさらに含む。
【００１４】
第1の態様の第1から第6の可能な実施態様のいずれかを参照して、第1の態様の第7の可能な実施態様では、ダウンリンク情報は、ダウンリンク共通信号および／またはダウンリンク共通情報の一部もしくは全部を含む。
【００１５】
第2の態様によれば、第1の基地局が提供され、第1の基地局は、送信部と、決定部とを含み、送信部は、第1のパターンに従って第1の周期を使用してダウンリンク情報を送信するように構成され、決定部は、ダウンリンク情報の送信周期および／または送信パターンを変更することを決定するように構成され、送信部は、決定部がダウンリンク情報の送信周期および／または送信パターンを変更することを決定した場合に、第1のパターンに従って第2の周期を使用して、または第2のパターンに従って第1の周期を使用して、または第2のパターンに従って第2の周期を使用して、ダウンリンク情報を送信するようにさらに構成され、第2の周期は第1の周期よりも短く、第2のパターンによって占有される直交周波数分割多重（OFDM）シンボルは、第1のパターンによって占有されるOFDMシンボルよりも多い。
【００１６】
第2の態様を参照して、第2の態様の第1の可能な実施態様では、第1の基地局は、検出部と、受信部とをさらに含み、検出部は、ユーザ機器（UE）によって送信されたアップリンクパイロットの測定値が指定値よりも大きいかどうかを検出するように構成され、受信部は、UEによって送信された近接指示メッセージ、アクセスシーケンス、またはスケジューリング要求信号を受信するように構成され、受信部は、第2の基地局によって送信された第1の指示メッセージを受信するようにさらに構成され、第1の指示メッセージは、ダウンリンク情報の送信周期および／または送信パターンを変更するように第1の基地局に指示するために使用され、決定部は、予め設定された条件が満たされたと判定した後に、ダウンリンク情報の送信周期および／または送信パターンを変更することを決定するようにさらに構成され、予め設定された条件は、UEによって送信されたアップリンクパイロットの測定値が指定値よりも大きいことを検出部が検出すること、または、受信部がUEによって送信された近接指示メッセージ、アクセスシーケンス、もしくはスケジューリング要求信号を受信すること、または、受信部が第2の基地局によって送信された第1の指示メッセージを受信することを含む。
【００１７】
第2の態様の第1の可能な実施態様を参照して、第2の態様の第2の可能な実施態様では、送信部は、ダウンリンク情報を送信した後に、UEが第1の基地局にアクセスした後に、第1のパターンに従って第1の周期を使用して、予め設定された時点でダウンリンク情報を送信し、または、予め設定された時間の後に、第1のパターンに従って第1の周期を使用してダウンリンク情報を送信するようにさらに構成される。
【００１８】
第2の態様の第1の可能な実施態様または第2の態様の第2の可能な実施態様を参照して、第2の態様の第3の可能な実施態様では、送信部は、予め設定された条件が、受信部が第2の基地局によって送信された第1の指示メッセージを受信することである場合に、送信部がダウンリンク情報を送信した後に、第2の周期の識別子および／または第2のパターンの識別子を第2の基地局に送信するようにさらに構成され、または、受信部は、予め設定された条件が、受信部が第2の基地局によって送信された第1の指示メッセージを受信することである場合に、送信部がダウンリンク情報を送信した後に、第2の基地局によって送信された要求メッセージを受信するようにさらに構成され、要求メッセージは、第2の周期の識別子および／または第2のパターンの識別子を取得することを要求するために使用され、かつ、送信部は、要求応答メッセージを第2の基地局に送信するようにさらに構成され、要求応答メッセージは、第2の周期の識別子および／または第2のパターンの識別子を運ぶ。
【００１９】
第2の態様の第1の可能な実施態様または第2の態様の第2の可能な実施態様を参照して、第2の態様の第4の可能な実施態様では、送信部は、予め設定された条件が、ユーザ機器（UE）によって送信されたアップリンクパイロットの測定値が指定値よりも大きいことを検出部が検出すること、または、受信部がUEによって送信された近接指示メッセージ、アクセスシーケンス、もしくはスケジューリング要求信号を受信することである場合に、ダウンリンク情報を送信した後に、第2の指示メッセージをUEに送信するようにさらに構成され、第2の指示メッセージは、ダウンリンク情報を送信するために第1の基地局によって使用される周期および／またはパターンが変更されたことを示すために使用される。
【００２０】
第2の態様の第4の可能な実施態様を参照して、第2の態様の第5の可能な実施態様では、第2の指示メッセージは、第2の周期の識別子および／または第2のパターンの識別子を運ぶ。
【００２１】
第2の態様の第4の可能な実施態様または第1の態様の第5の可能な実施態様を参照して、第2の態様の第6の可能な実施態様では、送信部は、ダウンリンク情報を送信した後に、第1の基地局によってカバーされる少なくとも1つの第1のUEに第2の指示メッセージを送信するようにさらに構成される。
【００２２】
第2の態様の第2から第6の可能な実施態様のいずれかを参照して、第2の態様の第7の可能な実施態様では、ダウンリンク情報は、ダウンリンク共通信号および／またはダウンリンク共通情報の一部もしくは全部を含む。
【００２３】
第3の態様によれば、第1の基地局が提供され、第1の基地局は、送信機と、プロセッサとを含み、送信機は、第1のパターンに従って第1の周期を使用してダウンリンク情報を送信するように構成され、プロセッサは、ダウンリンク情報の送信周期および／または送信パターンを変更することを決定するように構成され、送信機は、プロセッサがダウンリンク情報の送信周期および／または送信パターンを変更することを決定した場合に、第1のパターンに従って第2の周期を使用して、または第2のパターンに従って第1の周期を使用して、または第2のパターンに従って第2の周期を使用して、ダウンリンク情報を送信するようにさらに構成され、第2の周期は第1の周期よりも短く、第2パターンによって占有される直交周波数分割多重（OFDM）シンボルは、第1パターンによって占有されるOFDMシンボルよりも多い。
【００２４】
第3の態様を参照して、第3の態様の第1の可能な実施態様では、第1の基地局は、受信機をさらに含み、プロセッサは、ユーザ機器（UE）によって送信されたアップリンクパイロットの測定値が指定値よりも大きいかどうかを検出するようにさらに構成され、受信機は、UEによって送信された近接指示メッセージ、アクセスシーケンス、またはスケジューリング要求信号を受信するように構成され、受信機は、第2の基地局によって送信された第1の指示メッセージを受信するようにさらに構成され、第1の指示メッセージは、ダウンリンク情報の送信周期および／または送信パターンを変更するように第1の基地局に指示するために使用され、プロセッサは、予め設定された条件が満たされたと判定した後に、ダウンリンク情報の送信周期および／または送信パターンを変更することを決定するようにさらに構成され、予め設定された条件は、UEによって送信されたアップリンクパイロットの測定値が指定値より大きいことをプロセッサが検出すること、または、受信機がUEによって送信された近接指示メッセージ、アクセスシーケンス、もしくはスケジューリング要求信号を受信すること、または、受信機が第2の基地局によって送信された第1の指示メッセージを受信することを含む。
【００２５】
第3の態様の第1の可能な実施態様を参照して、第3の態様の第2の可能な実施態様では、送信機は、ダウンリンク情報を送信した後に、UEが第1の基地局にアクセスした後に、第1のパターンに従って第1の周期を使用して、予め設定された時点でダウンリンク情報を送信し、または、予め設定された時間の後に、第1のパターンに従って第1の周期を使用してダウンリンク情報を送信するようにさらに構成される。
【００２６】
第3の態様の第1の可能な実施態様または第3の態様の第2の可能な実施態様を参照して、第3の態様の第3の可能な実施態様では、送信機は、予め設定された条件が、受信機が第2の基地局によって送信された第1の指示メッセージを受信することである場合に、ダウンリンク情報を送信した後に、第2の周期の識別子および／または第2のパターンの識別子を第2の基地局に送信するようにさらに構成され、または、受信機は、予め設定された条件が、受信機が第2の基地局によって送信された第1の指示メッセージを受信することである場合に、ダウンリンク情報を送信した後に、第2の基地局によって送信された要求メッセージを受信するようにさらに構成され、要求メッセージは、第2の周期の識別子および／または第2のパターンの識別子を取得することを要求するために使用され、かつ、送信機は、要求応答メッセージを第2の基地局に送信するようにさらに構成され、要求応答メッセージは、第2の周期の識別子および／または第2のパターンの識別子を運ぶ。
【００２７】
第3の態様の第1の可能な実施態様または第3の態様の第2の可能な実施態様を参照して、第3の態様の第4の可能な実施態様では、送信機は、予め設定された条件が、ユーザ機器（UE）によって送信されたアップリンクパイロットの測定値が指定値よりも大きいことを検出部が検出すること、または、受信機がUEによって送信された近接指示メッセージ、アクセスシーケンス、もしくはスケジューリング要求信号を受信することである場合に、ダウンリンク情報を送信した後に、第2の指示メッセージをUEに送信するようにさらに構成され、第2の指示メッセージは、ダウンリンク情報を送信するために第1の基地局によって使用される周期および／またはパターンが変更されたことを示すために使用される。
【００２８】
第3の態様の第4の可能な実施態様を参照して、第3の態様の第5の可能な実施態様では、第2の指示メッセージは、第2の周期の識別子および／または第2のパターンの識別子を運ぶ。
【００２９】
第3の態様の第4の可能な実施態様または第3の態様の第5の可能な実施態様を参照して、第3の態様の第6の可能な実施態様では、送信機は、ダウンリンク情報を送信した後に、第1の基地局によってカバーされる少なくとも1つの第1のUEに第2の指示メッセージを送信するようにさらに構成される。
【００３０】
第3の態様の第3から第6の可能な実施態様のいずれかを参照して、第3の態様の第7の可能な実施態様では、ダウンリンク情報は、ダウンリンク共通信号および／またはダウンリンク共通情報の一部もしくは全部を含む。
【００３１】
第4の態様によれば、ダウンリンク情報の伝送方法が提供され、本方法は、ユーザ機器（UE）によって送信された指示情報を受信した後に、第2の基地局により、第1の指示メッセージを第1の基地局に送信するステップであって、指示情報は、第1の基地局によって送信されたダウンリンクパイロットの測定値が指定値よりも大きいことをUEが検出したことを示すために使用され、第1の指示メッセージは、ダウンリンク情報を送信するための周期および／またはパターンを変更するように第1の基地局に指示するために使用される、ステップと、第2の基地局により、第2の指示メッセージをUEに送信するステップであって、第2の指示メッセージは、ダウンリンク情報を送信するために第1の基地局によって使用される周期および／またはパターンが変更されたことを示すために使用される、ステップとを含む。
【００３２】
第4の態様を参照して、第4の態様の第1の可能な実施態様では、第2の基地局により、第1の指示メッセージを第1の基地局に送信するステップの後、かつ、第2の基地局により、第2の指示メッセージをUEに送信するステップの前に、本方法は、第2の基地局により、第2の周期の識別子および／または第2のパターンの識別子を取得するステップであって、第2の周期は、第1の基地局がダウンリンク情報を送信するための周期を変更した後に取得された送信周期であり、第2のパターンは、第1の基地局がダウンリンク情報を送信するためのパターンを変更した後に取得された送信パターンである、ステップをさらに含む。
【００３３】
第4の態様の第1の可能な実施態様を参照して、第4の態様の第2の可能な実施態様では、第2の基地局により、第2の周期の識別子および／または第2のパターンの識別子を取得するステップは、第2の基地局により、第1の基地局によって送信された第2の周期の識別子および／または第2のパターンの識別子を受信するステップか、または、第2の基地局により、要求メッセージを第1の基地局に送信するステップであって、要求メッセージは、第2の周期の識別子および／または第2のパターンの識別子を取得することを要求するために使用される、ステップ、および、第2の基地局により、第1の基地局によって送信された要求応答メッセージを受信し、要求応答メッセージに従って第2の周期の識別子および／または第2のパターンの識別子を取得するステップであって、要求応答メッセージは、第2の周期の識別子および／または第2のパターンの識別子を運ぶ、ステップかを含む。
【００３４】
第4の態様から第4の態様の第2の可能な実施態様のいずれかを参照して、第4の態様の第3の可能な実施態様では、第2の基地局により、第1の指示メッセージを第1の基地局に送信するステップの後に、本方法は、第2の基地局により、第1の基地局によってカバーされる少なくとも1つの第1のUEに第2の指示メッセージを送信するステップをさらに含む。
【００３５】
第4の態様から第4の態様の第3の可能な実施態様のいずれかを参照して、第4の態様の第4の可能な実施態様では、ダウンリンク情報は、ダウンリンク共通信号および／またはダウンリンク共通情報の一部もしくは全部を含む。
【００３６】
第5の態様によれば、第2の基地局が提供され、第2の基地局は、受信部と、送信部とを含み、受信部は、ユーザ機器（UE）によって送信された指示情報を受信するように構成され、指示情報は、第1の基地局によって送信されたダウンリンクパイロットの測定値が指定値よりも大きいことをUEが検出したことを示すために使用され、送信部は、受信部がUEによって送信された指示情報を受信した後に、第1の指示メッセージを第1の基地局に送信するように構成され、第1の指示メッセージは、ダウンリンク情報を送信するための周期および／またはパターンを変更するように第1の基地局に指示するために使用され、送信部は、第2の指示メッセージをUEに送信するようにさらに構成され、第2の指示メッセージは、ダウンリンク情報を送信するために第1の基地局によって使用される周期および／またはパターンが変更されたことを示すために使用される。
【００３７】
第5の態様を参照して、第5の態様の第1の可能な実施態様では、第2の基地局は、取得部をさらに含み、取得部は、送信部が第1の指示メッセージを第1の基地局に送信した後、かつ、送信部が第2の指示メッセージをUEに送信する前に、第2の周期の識別子および／または第2のパターンの識別子を取得するように構成され、第2の周期は、第1の基地局がダウンリンク情報を送信するための周期を変更した後に取得された送信周期であり、第2のパターンは、第1の基地局がダウンリンク情報を送信するためのパターンを変更した後に取得された送信パターンである。
【００３８】
第5の態様の第1の可能な実施態様を参照して、第5の態様の第2の可能な実施態様では、取得部は、第1の基地局によって送信された第2の周期の識別子および／または第2のパターンの識別子を受信するように、または、要求メッセージを第1の基地局に送信し、第1の基地局によって送信された要求応答メッセージを受信し、要求応答メッセージに従って第2の周期の識別子および／または第2のパターンの識別子を取得するようにさらに構成され、要求メッセージは、第2の周期の識別子および／または第2のパターンの識別子を取得することを要求するために使用され、要求応答メッセージは、第2の周期の識別子および／または第2のパターンの識別子を運ぶ。
【００３９】
第5の態様から第5の態様の第2の可能な実施態様のいずれかを参照して、第5の態様の第3の可能な実施態様では、送信部は、第1の指示メッセージを第1の基地局に送信した後に、第1の基地局によってカバーされる少なくとも1つの第1のUEに第2の指示メッセージを送信するようにさらに構成される。
【００４０】
第5の態様から第5の態様の第3の可能な実施態様のいずれかを参照して、第5の態様の第4の可能な実施態様では、ダウンリンク情報は、ダウンリンク共通信号および／またはダウンリンク共通情報の一部もしくは全部を含む。
【００４１】
第6の態様によれば、第2の基地局が提供され、第2の基地局は、受信機と、送信機とを含み、受信機は、ユーザ機器（UE）によって送信された指示情報を受信するように構成され、指示情報は、第1の基地局によって送信されたダウンリンクパイロットの測定値が指定値よりも大きいことをUEが検出したことを示すために使用され、送信機は、受信部がUEによって送信された指示情報を受信した後に、第1の指示メッセージを第1の基地局に送信するように構成され、第1の指示メッセージは、ダウンリンク情報を送信するための周期および／またはパターンを変更するように第1の基地局に指示するために使用され、送信機は、第2の指示メッセージをUEに送信するようにさらに構成され、第2の指示メッセージは、ダウンリンク情報を送信するために第1の基地局によって使用される周期および／またはパターンが変更されたことを示すために使用される。
【００４２】
第6の態様を参照して、第6の態様の第1の可能な実施態様では、第2の基地局は、プロセッサをさらに含み、プロセッサは、送信機が第1の指示メッセージを第1の基地局に送信した後、かつ、送信機が第2の指示メッセージをUEに送信する前に、第2の周期の識別子および／または第2のパターンの識別子を取得するように構成され、第2の周期は、第1の基地局がダウンリンク情報を送信するための周期を変更した後に取得された送信周期であり、第2のパターンは、第1の基地局がダウンリンク情報を送信するためのパターンを変更した後に取得された送信パターンである。
【００４３】
第6の態様の第1の可能な実施態様を参照して、第6の態様の第2の可能な実施態様では、プロセッサは、第1の基地局によって送信された第2の周期の識別子および／または第2のパターンの識別子を受信するように、または、要求メッセージを第1の基地局に送信し、第1の基地局によって送信された要求応答メッセージを受信し、要求応答メッセージに従って第2の周期の識別子および／または第2のパターンの識別子を取得するようにさらに構成され、要求メッセージは、第2の周期の識別子および／または第2のパターンの識別子を取得することを要求するために使用され、要求応答メッセージは、第2の周期の識別子および／または第2のパターンの識別子を運ぶ。
【００４４】
第6の態様から第6の態様の第2の可能な実施態様のいずれかを参照して、第6の態様の第3の可能な実施態様では、送信機は、第1の指示メッセージを第1の基地局に送信した後に、第1の基地局によってカバーされる少なくとも1つの第1のUEに第2の指示メッセージを送信するようにさらに構成される。
【００４５】
第6の態様から第6の態様の第3の可能な実施態様のいずれかを参照して、第6の態様の第4の可能な実施態様では、ダウンリンク情報は、ダウンリンク共通信号および／またはダウンリンク共通情報の一部もしくは全部を含む。
【００４６】
第7の態様によれば、ダウンリンク情報の伝送方法が提供され、本方法は、ユーザ機器（UE）により、第1の基地局がダウンリンク情報を送信するための周期および／またはパターンを変更したことを判定し、ダウンリンク情報を送信するために第1の基地局によって使用される周期およびパターンを取得するステップと、UEにより、第1の基地局によって送信されたダウンリンク情報を、周期およびパターンに従って受信するステップとを含む。
【００４７】
第7の態様を参照して、第7の態様の第1の可能な実施態様では、ユーザ機器（UE）により、第1の基地局がダウンリンク情報を送信するための周期および／またはパターンを変更したことを判定するステップは、予め設定された条件が満たされたとUEが判定した後に、UEにより、第1の基地局がダウンリンク情報を送信するための周期および／またはパターンを変更したことを判定するステップであって、予め設定された条件は、第1の基地局によって送信されたダウンリンクパイロットの測定値が指定値よりも大きいことをUEが検出すること、または、UEによって取得されたフィンガープリント情報が予め格納されたフィンガープリント情報と一致すること、または、UEの現在位置の地理的位置情報が予め格納された地理的位置情報と一致すること、または、UEが第1の基地局または第2の基地局によって送信された指示メッセージを受信することを含み、指示メッセージは、ダウンリンク情報を送信するために第1の基地局によって使用される周期および／またはパターンが変更されたことを示すために使用される、ステップを含む。
【００４８】
第7の態様の第1の可能な実施態様を参照して、第7の態様の第2の可能な実施態様では、予め設定された条件が、第1の基地局によって送信されたダウンリンクパイロットの測定値が指定値よりも大きいことをUEが検出すること、または、UEによって取得されたフィンガープリント情報が予め格納されたフィンガープリント情報と一致すること、または、UEの現在位置の地理的位置情報が予め格納された地理的位置情報と一致することである場合に、予め設定された条件が満たされたとUEが判定した後に、本方法は、UEにより、第1の基地局に指示情報を送信するステップであって、指示情報は、第1の基地局によって送信されたダウンリンクパイロットの測定値が指定値よりも大きいことをUEが検出すること、または、UEによって取得されたフィンガープリント情報が予め格納されたフィンガープリント情報と一致すること、または、UEの現在位置の地理的位置情報が予め格納された地理的位置情報と一致することを示すために使用される、ステップをさらに含む。
【００４９】
第7の態様から第7の態様の第2の可能な実施態様のいずれかを参照して、第7の態様の第3の可能な実施態様では、予め設定された条件が、第1の基地局によって送信されたダウンリンクパイロットの測定値が指定値よりも大きいことをUEが検出すること、または、UEによって取得されたフィンガープリント情報が予め格納されたフィンガープリント情報と一致すること、または、UEの現在位置の地理的位置情報が予め格納された地理的位置情報と一致することである場合に、UEにより、ダウンリンク情報を送信するために第1の基地局によって使用される周期およびパターンを取得するステップは、UEにより、ダウンリンク情報を送信するために第1の基地局によって使用される周期およびパターンを、予め格納された構成情報に従って取得するステップを含む。
【００５０】
第7の態様または第7の態様の第1の可能な実施態様を参照して、第7の態様の第4の可能な実施態様では、予め設定された条件が、UEが第1の基地局または第2の基地局によって送信された指示メッセージを受信することである場合に、UEにより、ダウンリンク情報を送信するために第1の基地局によって使用される周期およびパターンを取得するステップは、UEにより、指示メッセージが第2の周期のみを運んでいると判定し、指示メッセージで運ばれた第2の周期を取得し、予め格納された構成情報に従って第1のパターンを取得するステップであって、第2の周期は、第1の基地局がダウンリンク情報を送信するための周期を変更した後に取得された送信周期であり、第1のパターンは、第1の基地局がダウンリンク情報を送信するための周期を変更する前に取得された送信パターンである、ステップを含み、UEにより、第1の基地局によって送信されたダウンリンク情報を、周期およびパターンに従って受信するステップは、UEにより、第1の基地局によって送信されたダウンリンク情報を、第2の周期および第1のパターンに従って受信するステップを含む。
【００５１】
第7の態様または第7の態様の第1の可能な実施態様を参照して、第7の態様の第5の可能な実施態様では、予め設定された条件が、UEが第1の基地局または第2の基地局によって送信された指示メッセージを受信することである場合に、UEにより、ダウンリンク情報を送信するために第1の基地局によって使用される周期およびパターンを取得するステップは、UEにより、指示メッセージが第2のパターンの識別子のみを運んでいると判定し、第2のパターンの識別子に従って第2のパターンを取得し、予め格納された構成情報に従って第1の周期を取得するステップであって、第2のパターンは、第1の基地局がダウンリンク情報を送信するためのパターンを変更した後に取得された送信パターンであり、第1の周期は、第1の基地局がダウンリンク情報を送信するためのパターンを変更する前に取得された送信周期である、ステップを含み、UEにより、第1の基地局によって送信されたダウンリンク情報を、周期およびパターンに従って受信するステップは、UEにより、第1の基地局によって送信されたダウンリンク情報を、第1の周期および第2のパターンに従って受信するステップを含む。
【００５２】
第7の態様または第7の態様の第1の可能な実施態様を参照して、第7の態様の第6の可能な実施態様では、予め設定された条件が、UEが第1の基地局または第2の基地局によって送信された指示メッセージを受信することである場合に、UEにより、ダウンリンク情報を送信するために第1の基地局によって使用される周期およびパターンを取得するステップは、UEにより、指示メッセージが第2の周期の識別子および第2のパターンの識別子を運んでいると判定し、指示メッセージで運ばれた第2の周期および第2のパターンの識別子を取得し、第2のパターンの識別子に従って第2のパターンを取得するステップであって、第1の周期は、第1の基地局がダウンリンク情報を送信するための周期を変更した後に取得された送信周期であり、第2のパターンは、第1の基地局がダウンリンク情報を送信するためのパターンを変更した後に取得された送信パターンである、ステップを含み、UEにより、第1の基地局によって送信されたダウンリンク情報を、周期およびパターンに従って受信するステップは、UEにより、第1の基地局によって送信されたダウンリンク情報を、第2の周期および第2のパターンに従って受信するステップを含む。
【００５３】
第7の態様から第7の態様の第6の可能な実施態様のいずれかを参照して、第7の態様の第7の可能な実施態様では、ダウンリンク情報は、ダウンリンク共通信号および／またはダウンリンク共通情報の一部もしくは全部を含む。
【００５４】
第8の態様によれば、ユーザ機器（UE）が提供され、UEは、決定部と、取得部と、受信部とを含み、決定部は、第1の基地局がダウンリンク情報を送信するための周期および／またはパターンを変更したことを判定するように構成され、取得部は、ダウンリンク情報を送信するために第1の基地局によって使用される周期およびパターンを取得するように構成され、受信部は、第1の基地局によって送信されたダウンリンク情報を、周期およびパターンに従って受信するように構成される。
【００５５】
第8の態様を参照して、第8の態様の第1の可能な実施態様では、UEは、検出部をさらに含み、検出部は、第1の基地局によって送信されたダウンリンクパイロットの測定値が指定値よりも大きいかどうか、UEによって取得されたフィンガープリント情報が予め格納されたフィンガープリント情報と一致するかどうか、およびUEの現在位置の地理的位置情報が予め格納された地理的位置情報と一致するかどうかを検出するように構成され、受信部は、第1の基地局または第2の基地局によって送信された指示メッセージを受信するようにさらに構成され、指示メッセージは、ダウンリンク情報を送信するために第1の基地局によって使用される周期および／またはパターンが変更されたことを示すために使用され、決定部は、予め設定された条件が満たされていると判定した後に、第1の基地局がダウンリンク情報を送信するための周期および／またはパターンを変更したことを判定するようにさらに構成され、予め設定された条件は、第1の基地局によって送信されたダウンリンクパイロットの測定値が指定値よりも大きいことを検出部が検出すること、または、UEによって取得されたフィンガープリント情報が予め格納されたフィンガープリント情報と一致すること、または、UEの現在位置の地理的位置情報が予め格納された地理的位置情報と一致すること、または、受信部が第1の基地局または第2の基地局によって送信された指示メッセージを受信することを含む。
【００５６】
第8の態様の第1の可能な実施態様を参照して、第8の態様の第2の可能な実施態様では、UEは、送信部をさらに含み、送信部は、予め設定された条件が、第1の基地局によって送信されたダウンリンクパイロットの測定値が指定値よりも大きいことを検出部が検出すること、または、UEによって取得されたフィンガープリント情報が予め格納されたフィンガープリント情報と一致すること、または、UEの現在位置の地理的位置情報が予め格納された地理的位置情報と一致することである場合に、予め設定された条件が満たされたと決定部が判定した後に、第1の基地局に指示情報を送信するように構成され、指示情報は、第1の基地局によって送信されたダウンリンクパイロットの測定値が指定値よりも大きいことを検出部が検出すること、または、UEによって取得されたフィンガープリント情報が予め格納されたフィンガープリント情報と一致すること、または、UEの現在位置の地理的位置情報が予め格納された地理的位置情報と一致することを示すために使用される。
【００５７】
第8の態様から第8の態様の第2の可能な実施態様のいずれかを参照して、第8の態様の第3の可能な実施態様では、取得部は、予め設定された条件が、第1の基地局によって送信されたダウンリンクパイロットの測定値が指定値よりも大きいことを検出部が検出すること、または、UEによって取得されたフィンガープリント情報が予め格納されたフィンガープリント情報と一致すること、または、UEの現在位置の地理的位置情報が予め格納された地理的位置情報と一致することである場合に、ダウンリンク情報を送信するために第1の基地局によって使用される周期およびパターンを、予め格納された構成情報に従って取得するようにさらに構成される。
【００５８】
第8の態様または第8の態様の第1の可能な実施態様を参照して、第8の態様の第4の可能な実施態様では、取得部は、予め設定された条件が、受信部が第1の基地局または第2の基地局によって送信された指示メッセージを受信することである場合に、指示メッセージが第2の周期のみを運んでいると判定し、指示メッセージで運ばれた第2の周期を取得し、予め格納された構成情報に従って第1のパターンを取得するようにさらに構成され、第2の周期は、第1の基地局がダウンリンク情報を送信するための周期を変更した後に取得された送信周期であり、第1のパターンは、第1の基地局がダウンリンク情報を送信するための周期を変更する前に取得された送信パターンであり、受信部は、第1の基地局によって送信されたダウンリンク情報を、第2の周期および第1のパターンに従って受信するようにさらに構成される。
【００５９】
第8の態様または第8の態様の第1の可能な実施態様を参照して、第8の態様の第5の可能な実施態様では、取得部は、予め設定された条件が、受信部が第1の基地局または第2の基地局によって送信された指示メッセージを受信することである場合に、指示メッセージが第2のパターンの識別子のみを運んでいると判定し、第2のパターンの識別子に従って第2のパターンを取得し、予め格納された構成情報に従って第1の周期を取得するようにさらに構成され、第2のパターンは、第1の基地局がダウンリンク情報を送信するためのパターンを変更した後に取得された送信パターンであり、第1の周期は、第1の基地局がダウンリンク情報を送信するためのパターンを変更する前に取得された送信周期であり、受信部は、第1の基地局によって送信されたダウンリンク情報を、第1の周期および第2のパターンに従って受信するようにさらに構成される。
【００６０】
第8の態様または第8の態様の第1の可能な実施態様を参照して、第8の態様の第6の可能な実施態様では、取得部は、予め設定された条件が、受信部が第1の基地局または第2の基地局によって送信された指示メッセージを受信することである場合に、指示メッセージが第2の周期の識別子および第2のパターンの識別子を運んでいると判定し、指示メッセージで運ばれた第2の周期の識別子および第2のパターンの識別子を取得し、第2のパターンの識別子に従って第2のパターンを取得するようにさらに構成され、第1の周期は、第1の基地局がダウンリンク情報を送信するための周期を変更した後に取得された送信周期であり、第2のパターンは、第1の基地局がダウンリンク情報を送信するためのパターンを変更した後に取得された送信パターンであり、受信部は、第1の基地局によって送信されたダウンリンク情報を、第2の周期および第2のパターンに従って受信するようにさらに構成される。
【００６１】
第8の態様から第8の態様の第6の可能な実施態様のいずれかを参照して、第8の態様の第7の可能な実施態様では、ダウンリンク情報は、ダウンリンク共通信号および／またはダウンリンク共通情報の一部もしくは全部を含む。
【００６２】
第9の態様によれば、ユーザ機器（UE）が提供され、UEは、プロセッサと、受信機とを含み、プロセッサは、第1の基地局がダウンリンク情報を送信するための周期および／またはパターンを変更したことを判定するように構成され、プロセッサは、ダウンリンク情報を送信するために第1の基地局によって使用される周期およびパターンを取得するようにさらに構成され、受信機は、第1の基地局によって送信されたダウンリンク情報を、周期およびパターンに従って受信するように構成される。
【００６３】
第9の態様を参照して、第9の態様の第1の可能な実施態様では、プロセッサは、第1の基地局によって送信されたダウンリンクパイロットの測定値が指定値よりも大きいかどうか、UEによって取得されたフィンガープリント情報が予め格納されたフィンガープリント情報と一致するかどうか、およびUEの現在位置の地理的位置情報が予め格納された地理的位置情報と一致するかどうかを検出するようにさらに構成され、受信機は、第1の基地局または第2の基地局によって送信された指示メッセージを受信するようにさらに構成され、指示メッセージは、ダウンリンク情報を送信するために第1の基地局によって使用される周期および／またはパターンが変更されたことを示すために使用され、プロセッサは、予め設定された条件が満たされていると判定した後に、第1の基地局がダウンリンク情報を送信するための周期および／またはパターンを変更したと判定するようにさらに構成され、予め設定された条件は、第1の基地局によって送信されたダウンリンクパイロットの測定値が指定値よりも大きいことをプロセッサが検出すること、または、UEによって取得されたフィンガープリント情報が予め格納されたフィンガープリント情報と一致すること、または、UEの現在位置の地理的位置情報が予め格納された地理的位置情報と一致すること、または、受信機が第1の基地局または第2の基地局によって送信された指示メッセージを受信することを含む。
【００６４】
第9の態様の第1の可能な実施態様を参照して、第9の態様の第2の可能な実施態様では、UEは、送信機をさらに含み、送信機は、予め設定された条件が、第1の基地局によって送信されたダウンリンクパイロットの測定値が指定値よりも大きいことをプロセッサが検出すること、または、UEによって取得されたフィンガープリント情報が予め格納されたフィンガープリント情報と一致すること、または、UEの現在位置の地理的位置情報が予め格納された地理的位置情報と一致することである場合に、予め設定された条件が満たされているとプロセッサが判定した後に、第1の基地局に指示情報を送信するように構成され、指示情報は、第1の基地局によって送信されたダウンリンクパイロットの測定値が指定値よりも大きいことをプロセッサが検出すること、または、UEによって取得されたフィンガープリント情報が予め格納されたフィンガープリント情報と一致すること、または、UEの現在位置の地理的位置情報が予め格納された地理的位置情報と一致することを示すために使用される。
【００６５】
第9の態様から第9の態様の第2の可能な実施態様のいずれかを参照して、第9の態様の第3の可能な実施態様では、プロセッサは、予め設定された条件が、第1の基地局によって送信されたダウンリンクパイロットの測定値が指定値よりも大きいことをプロセッサが検出すること、または、UEによって取得されたフィンガープリント情報が予め格納されたフィンガープリント情報と一致すること、または、UEの現在位置の地理的位置情報が予め格納された地理的位置情報と一致することである場合に、ダウンリンク情報を送信するために第1の基地局によって使用される周期およびパターンを、予め格納された構成情報に従って取得するようにさらに構成される。
【００６６】
第9の態様または第9の態様の第1の可能な実施態様を参照して、第9の態様の第4の可能な実施態様では、プロセッサは、予め設定された条件が、受信機が第1の基地局または第2の基地局によって送信された指示メッセージを受信することである場合に、指示メッセージが第2の周期のみを運んでいると判定し、指示メッセージで運ばれた第2の周期を取得し、予め格納された構成情報に従って第1のパターンを取得するようにさらに構成され、第2の周期は、第1の基地局がダウンリンク情報を送信するための周期を変更した後に取得された送信周期であり、第1のパターンは、第1の基地局がダウンリンク情報を送信するための周期を変更する前に取得された送信パターンであり、受信機は、第1の基地局によって送信されたダウンリンク情報を、第2の周期および第1のパターンに従って受信するようにさらに構成される。
【００６７】
第9の態様または第9の態様の第1の可能な実施態様を参照して、第9の態様の第5の可能な実施態様では、プロセッサは、予め設定された条件が、受信機が第1の基地局または第2の基地局によって送信された指示メッセージを受信することである場合に、指示メッセージが第2のパターンの識別子のみを運んでいると判定し、第2のパターンの識別子に従って第2のパターンを取得し、予め格納された構成情報に従って第1の周期を取得するようにさらに構成され、第2のパターンは、第1の基地局がダウンリンク情報を送信するためのパターンを変更した後に取得された送信パターンであり、第1の周期は、第1の基地局がダウンリンク情報を送信するためのパターンを変更する前に取得された送信周期であり、受信機は、第1の基地局によって送信されたダウンリンク情報を、第1の周期および第2のパターンに従って受信するようにさらに構成される。
【００６８】
第9の態様または第9の態様の第1の可能な実施態様を参照して、第9の態様の第6の可能な実施態様では、プロセッサは、予め設定された条件が、受信機が第1の基地局または第2の基地局によって送信された指示メッセージを受信することである場合に、指示メッセージが第2の周期の識別子および第2のパターンの識別子を運んでいると判定し、指示メッセージで運ばれた第2の周期の識別子および第2のパターンの識別子を取得し、第2のパターンの識別子に従って第2のパターンを取得するようにさらに構成され、第1の周期は、第1の基地局がダウンリンク情報を送信するための周期を変更した後に取得された送信周期であり、第2のパターンは、第1の基地局がダウンリンク情報を送信するためのパターンを変更した後に取得された送信パターンであり、受信機は、第1の基地局によって送信されたダウンリンク情報を、第2の周期および第2のパターンに従って受信するようにさらに構成される。
【００６９】
第9の態様から第9の態様の第6の可能な実施態様のいずれかを参照して、第9の態様の第7の可能な実施態様では、ダウンリンク情報は、ダウンリンク共通信号および／またはダウンリンク共通情報の一部もしくは全部を含む。
【００７０】
従来技術とは異なり、本発明の実施態様で提供されるダウンリンク情報の伝送方法、基地局、およびユーザ機器を用いることにより、基地局は固定周期を用いて、または固定パターンパターに従ってダウンリンク情報を送信するのではなく、（UEが基地局のリソースを使用する場合には）ダウンリンク情報の送信周期および／または送信パターンを変更すると判定した場合に、比較的多くの時間周波数リソースを使用することによってダウンリンク情報を送信するので、UEは、時間内にダウンリンク情報を受信し、ダウンリンク情報に従って迅速に基地局と無線接続を確立することができる。したがって、従来技術と比較して、本発明の実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。
【図面の簡単な説明】
【００７１】
【図１】本発明の一実施形態によるダウンリンク情報の伝送方法の概略的なフローチャートである。
【図２ａ】ダウンリンク情報を送信するために基地局によって使用される時間周波数リソースの図である。
【図２ｂ】本発明の一実施形態によるダウンリンク情報を送信するために使用される時間周波数リソースの第1の図である。
【図２ｃ】本発明の一実施形態によるダウンリンク情報を送信するために使用される時間周波数リソースの第2の図である。
【図２ｄ】本発明の一実施形態によるダウンリンク情報を送信するために使用される時間周波数リソースの第3の図である。
【図３ａ】本発明の一実施形態による別のダウンリンク情報の伝送方法の概略的なフローチャートである。
【図３ｂ】本発明の一実施形態によるさらに別のダウンリンク情報の伝送方法の概略的なフローチャートである。
【図４】本発明の一実施形態によるさらに別のダウンリンク情報の伝送方法の概略的なフローチャートである。
【図５】本発明の一実施形態によるさらに別のダウンリンク情報の伝送方法の概略的なフローチャートである。
【図６】本発明の一実施形態によるさらに別のダウンリンク情報の伝送方法の概略的なフローチャートである。
【図７】本発明の一実施形態によるさらに別のダウンリンク情報の伝送方法の概略的なフローチャートである。
【図８】本発明の一実施形態によるさらに別のダウンリンク情報の伝送方法の概略的なフローチャートである。
【図９】本発明の一実施形態によるダウンリンク情報の伝送方法の概略的な相互作用図である。
【図１０】本発明の一実施形態による別のダウンリンク情報の伝送方法の概略的な相互作用図である。
【図１１ａ】本発明の一実施形態によるさらに別のダウンリンク情報の伝送方法の概略的な相互作用図である。
【図１１ｂ】本発明の一実施形態によるさらに別のダウンリンク情報の伝送方法の概略的な相互作用図である。
【図１２】本発明の一実施形態によるさらに別のダウンリンク情報の伝送方法の概略的な相互作用図である。
【図１３】本発明の一実施形態による第1の基地局の概略構成図である。
【図１４】本発明の一実施形態による別の第1の基地局の概略構成図である。
【図１５】本発明の一実施形態による第2の基地局の概略構成図である。
【図１６】本発明の一実施形態による別の第2の基地局の概略構成図である。
【図１７】本発明の一実施形態によるUEの概略構成図である。
【図１８】本発明の一実施形態による別のUEの概略構成図である。
【図１９】本発明の一実施形態によるさらに別のUEの概略構成図である。
【図２０】本発明の一実施形態による第1の基地局の概略構成図である。
【図２１】本発明の一実施形態による別の第1の基地局の概略構成図である。
【図２２】本発明の一実施形態による第2の基地局の概略構成図である。
【図２３】本発明の一実施形態による別の第2の基地局の概略構成図である。
【図２４】本発明の一実施形態によるUEの概略構成図である。
【図２５】本発明の一実施形態による別のUEの概略構成図である。
【発明を実施するための形態】
【００７２】
以下では、本発明の実施形態の添付図面を参照して、本発明の実施形態の技術的解決策について明白に説明する。当然ながら、記載された実施形態は、本発明の実施形態の一部に過ぎず、そのすべてではない。創造的労力なしに本発明の実施形態用いて当業者によって得られたすべての他の実施形態は、本発明の保護範囲内に含まれるものとする。
【００７３】
本発明の実施形態における技術的解決策の明確な説明を容易にするために、本発明の実施形態では、「第1」、「第2」、および「第3」などの単語を使用して、基本的に同じ機能または目的を有する同じアイテムまたは同様のアイテムを区別する。当業者であれば、「第1」、「第2」、および「第3」などの単語は、量および実施順序を制限しないことを理解することができる。
【００７４】
本発明の実施形態は、既存のロングタームエボリューション（LTE）移動通信システムに適用することもでき、LTE移動通信システムを用いて進化型無線通信システムに適用することもできることに留意されたい。これは、本発明の実施形態において特に限定されない。
【００７５】
さらに、本発明の実施形態における特徴は、互いに矛盾しない限り、互いに組み合わせてもよいことに留意されたい。これは、本発明の実施形態において特に限定されない。
【００７６】
図1に示すように、本発明の実施形態は、ダウンリンク情報の伝送方法を提供する。
【００７７】
S101．第1の基地局が、第1のパターンに従って第1の周期を使用してダウンリンク情報を送信する。
【００７８】
S102．第1の基地局がダウンリンク情報の送信周期および／または送信パターンを変更することを決定した場合に、第1の基地局は、第1のパターンに従って第2の周期を使用して、または第2のパターンに従って第1の周期を使用して、または第2のパターンに従って第2の周期を使用して、ダウンリンク情報を送信する。
【００７９】
第2の周期は第1の周期よりも短く、第2のパターンによって占有される直交周波数分割多重（Orthogonal Frequency Division Multiplexing、OFDM）シンボルは、第1のパターンによって占有されるOFDMシンボルよりも多い。第1のパターンおよび第2のパターンは、単位時間周波数リソースにおけるダウンリンク情報の分布状態である。
【００８０】
当業者は、第1の基地局が具体的には第1の基地局の1つまたは複数のセルであってもよく、第2の基地局が具体的にはUEのユーザプレーンサイトまたは制御プレーンサイトであってもよいことを容易に理解できることに留意されたい。これは、本発明のこの実施形態において特に限定されない。ダウンリンク情報は、具体的には、ダウンリンク共通信号および／またはダウンリンク共通情報の一部または全部を含むことができる。ダウンリンク共通信号は、具体的には、セル基準信号、同期信号、ディスカバリ信号などであってもよく、ダウンリンク共通情報は、具体的には、システムブロードキャストメッセージであってもよい。
【００８１】
すなわち、第1の基地局は、ダウンリンク情報の送信周期および／または送信パターンを変更することを決定する場合に、ダウンリンク情報を送信するための周期のみを変更してもよいし、ダウンリンク情報を送信するためのパターンのみを変更してもよいし、ダウンリンク情報を送信するための周期およびパターンの両方を変更してもよい。
【００８２】
例えば、第1の基地局は、図2aに示す第1の周期および第1のパターンに従ってダウンリンク情報を最初に送信しているものとする（図中、横座標は時間領域を表し、縦座標は周波数領域を表し、各グリッドはリソース要素を表し、斜線のグリッドは、リソース要素がダウンリンク情報を運ぶのに使用されることを表し、ブランクのグリッドは、リソース要素がダウンリンク情報を運ぶのに使用されないことを表す）。第1の基地局は、ダウンリンク情報の送信周期および／または送信パターンを変更すると決定した場合に、図2bに示す第2の周期および第1のパターンに従ってダウンリンク情報を送信することができる。すなわち、第1の基地局は、送信周期を第2の周期に変更するが、送信パターンは変更しない。あるいは、第1の基地局は、図2cに示す第1の周期および第2のパターンに従ってダウンリンク情報を送信してもよい。すなわち、第1の基地局は、送信パターンを第2のパターンに変更するが、送信周期は変更しない。あるいは、第1の基地局は、図2dに示す第2の周期および第2のパターンに従ってダウンリンク情報を送信してもよい。すなわち、第1の基地局は、送信周期を第2の周期に変更し、送信パターンを第2のパターンに変更する。
【００８３】
好ましくは、本発明のこの実施形態で提供されるダウンリンク情報の伝送方法において、第1の基地局がダウンリンク情報の送信周期および／または送信パターンを変更することを決定することは、具体的には、
第1の基地局が予め設定された条件が満たされたと判定した後に、第1の基地局によって、ダウンリンク情報の送信周期および／または送信パターンを変更することを決定するステップを含むことができる。
【００８４】
予め設定された条件は、第1の基地局が、ユーザ機器（UE）によって送信されたアップリンクパイロットの測定値が指定値よりも大きいことを検出すること、または、第1の基地局が、UEによって送信された近接指示メッセージ、アクセスシーケンス、もしくはスケジューリング要求信号を受信すること、または、第1の基地局が、第2の基地局によって送信された第1の指示メッセージを受信すること、を含み、第1の指示メッセージは、第1の基地局に、ダウンリンク情報の送信周期および／または送信パターンを変更するように指示するために使用される。
【００８５】
すなわち、第1の基地局は、UEによって送信されたプローブ信号を検出して、UEが第1の基地局に近づいているかどうかを判定することができる。あるいは、UEは、第1の基地局によって送信されたパイロット信号を検出して、UEが第1の基地局に近づいていると判定し、第1の基地局へ報告することができる。これは、本発明のこの実施形態では特に限定されない。
【００８６】
アップリンクパイロットの測定値は、具体的には、信号強度、信号品質、またはチャネル品質インジケータ（Channel Quality Indicator、CQI）であってもよい。これは、本発明のこの実施形態では特に限定されない。
【００８７】
さらに、図3aに示すように、第1の基地局によってダウンリンク情報を送信するステップ（すなわち、S102）の後に、本発明のこの実施形態におけるダウンリンク情報の伝送方法はS103aをさらに含むことができる。
【００８８】
S103a．UEが第1の基地局にアクセスした後に、第1の基地局が、第1のパターンに従って第1の周期を使用して、予め設定された時点でダウンリンク情報を送信する。
【００８９】
あるいは、図3bに示すように、第1の基地局によってダウンリンク情報を送信するステップ（すなわち、S102）の後に、本方法はS103bを含む。
【００９０】
S103b．第1の基地局が、予め設定された時間の後に第1のパターンに従って第1の周期を使用してダウンリンク情報を送信する。
【００９１】
すなわち、UEがネットワークにアクセスして第1の基地局のダウンリンク情報を取得することを必要としない後に、または第1の基地局が変更された送信周期および／またはパターンを使用してダウンリンク情報を一定期間送信した後に、基地局は、比較的少ない時間周波数リソースを使用してダウンリンク情報を送信するので、ダウンリンク情報の送信のオーバーヘッドを低減することができ、より多くの時間周波数リソースを使用してデータを送信し、さらにダウンリンク容量およびダウンリンクリソース利用率が改善される。
【００９２】
オプションとして、予め設定された条件が、第1の基地局が第2の基地局によって送信された第1の指示メッセージを受信することである場合に、第1の基地局によって、ダウンリンク情報を送信するステップの後に、本発明のこの実施形態で提供されるダウンリンク情報の伝送方法は、
第1の基地局によって、第2の周期の識別子および／または第2のパターンの識別子を第2の基地局に送信するステップか、または、
第1の基地局によって、第2の基地局によって送信された要求メッセージを受信するステップであって、要求メッセージは、第2の周期の識別子および／または第2のパターンの識別子を取得することを要求するために使用される、ステップと、第1の基地局によって、要求応答メッセージを第2の基地局に送信するステップであって、要求応答メッセージは、第2の周期の識別子および／または第2のパターンの識別子を運ぶ、ステップと、
をさらに含むことができる。
【００９３】
オプションとして、図4に示すように、予め設定された条件が、ユーザ機器（UE）によって送信されたアップリンクパイロットの測定値が指定値よりも大きいことを第1の基地局が検出したこと、または、第1の基地局がUEによって送信された近接指示メッセージ、アクセスシーケンス、もしくはスケジューリング要求信号を受信したこと、である場合に、第1の基地局によってダウンリンク情報を送信するステップ（すなわち、S102）の後に、本発明のこの実施形態で提供されるダウンリンク情報の伝送方法は、S104をさらに含むことができる。
【００９４】
S104．第1の基地局は、第2の指示メッセージをUEに送信し、第2の指示メッセージは、ダウンリンク情報を送信するために第1の基地局によって使用される周期および／またはパターンが変更されたことを示すために使用される。
【００９５】
オプションとして、第2の指示メッセージは、第2の周期の識別子および／または第2のパターンの識別子を運ぶ。
【００９６】
基地局側とUE側とは、基地局側がダウンリンク情報を送信するための周期および／またはパターンを変更する前に取得された周期およびパターン（すなわち、第1の周期および第1のパターン）を予め一致させることができ、基地局側は、第2の指示メッセージに第2の周期および／または第2のパターンの識別子を付加して、変更された周期および／またはパターンをUEに通知することに留意されたい。
【００９７】
さらに、基地局側とUE側とは、基地局側がダウンリンク情報を送信するための周期および／または送信パターンを変更した後に取得された周期およびパターン（すなわち、第2の周期および第2のパターン）をさらに一致させることができる。この場合、第2の指示メッセージは、ダウンリンク情報を送信するために基地局によって使用される周期および／またはパターンが変更されたことのみを示し、情報を運ぶ必要はない。
【００９８】
確かに、基地局側とUE側とが、第1の周期、第1のパターン、第2の周期、または第2のパターンを予め一致させない場合には、基地局側が、第2の指示メッセージに、第1の周期もしくは第2の周期および第1のパターンの識別子もしくは第2のパターンの識別子を付加して、ダウンリンク情報を送信するために基地局が現在使用している周期およびパターンをUEに通知することができる。これは、本発明のこの実施形態では特に限定されない。
【００９９】
さらに、図5に示すように、第1の基地局によってダウンリンク情報を送信するステップ（すなわち、S102）の後に、本発明のこの実施形態におけるダウンリンク情報の伝送方法は、S105をさらに含むことができる。
【０１００】
S105．第1の基地局が、第1の基地局によってカバーされる少なくとも1つの第1のUEに第2の指示メッセージを送信する。
【０１０１】
すなわち、第1の基地局によってカバーされる少なくとも1つの第1のUEが、第1の基地局のダウンリンク情報を使用する必要がある場合には、ダウンリンク情報の送信周期および／またはパターンを変更した後に、ダウンリンク情報を送信するために第1の基地局によって使用される周期および／またはパターンが変更されたことをUEに通知することに加えて、第1の基地局はさらに少なくとも1つの第1のUEに通知する必要がある。
【０１０２】
また、当業者であれば、本発明のこの実施形態で説明したように、第1の基地局がダウンリンク情報の送信周期および／または送信パターンを変更する場合に、第1の基地局は、まず、ダウンリンク情報の送信周期および／またはパターンを変更し、次いで、送信周期および／またはパターンが変更されたことをUEおよび第1のUEに通知することができることを容易に理解することに留意されたい。別の可能な実施態様では、ダウンリンク情報の送信周期および／または送信パターンを変更することを決定する場合に、第1の基地局は、まず、UEおよび第1のUEに指示メッセージを送信して、第1の基地局がダウンリンク情報を送信するための周期および／またはパターンを特定の時点で変更することをUEおよび第1のUEに通知し、その後に、ダウンリンク情報を送信するための周期および／またはパターンをその時点で変更することができる。これは、本発明のこの実施形態では特に限定されない。
【０１０３】
本発明のこの実施形態におけるダウンリンク情報の伝送方法では、第1の基地局は、最初に第1のパターンに従って第1の周期を用いてダウンリンク情報を送信し、ダウンリンク情報の送信周期および／または送信パターンを変更することを決定した場合に、第1の基地局は、第1のパターンに従って第2の周期を使用して、または第2のパターンに従って第1の周期を使用して、または第2のパターンに従って第2の周期を使用して、ダウンリンク情報を送信する。第2の周期は第1の周期よりも短く、第2パターンによって占有されるOFDMシンボルは、第1パターンによって占有されるOFDMシンボルよりも多い。従来技術とは異なり、本発明のこの実施形態で提供されるダウンリンク情報の伝送方法を用いることにより、基地局は固定周期を用いて、または固定パターンパターに従ってダウンリンク情報を送信するのではなく、（UEが基地局のリソースを使用する場合には）ダウンリンク情報の送信周期および／または送信パターンを変更すると判定した場合に、比較的多くの時間周波数リソースを使用することによってダウンリンク情報を送信するので、UEは、時間内にダウンリンク情報を受信し、ダウンリンク情報に従って迅速に基地局と無線接続を確立することができる。したがって、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。
【０１０４】
図6に示すように、本発明の別の実施形態は、ダウンリンク情報の伝送方法を提供する。
【０１０５】
S601．第2の基地局が、UEによって送信された指示情報を受信した後に第1の基地局に第1の指示メッセージを送信し、指示情報は、第1の基地局によって送信されたダウンリンクパイロットの測定値が指定値よりも大きいことをUEが検出することを示すために使用され、第1の指示メッセージは、ダウンリンク情報を送信するための周期および／またはパターンを変更するように第1の基地局に指示するために使用される。
【０１０６】
S602．第2の基地局が、第2の指示メッセージをUEに送信し、第2の指示メッセージは、ダウンリンク情報を送信するために第1の基地局によって使用される周期および／またはパターンが変更されたことを示すために使用される。
【０１０７】
当業者であれば容易に理解するように、第2の基地局は、具体的には、UEのユーザプレーンサイトまたは制御プレーンサイトであってもよく、第1の基地局は、具体的には、第1の基地局の1つまたは複数のセルであってもよいことに留意されたい。これは、本発明のこの実施形態では特に限定されない。
【０１０８】
ダウンリンク情報は、具体的には、ダウンリンク共通信号および／またはダウンリンク共通情報の一部または全部を含むことができる。ダウンリンク共通信号は、具体的には、セル基準信号、同期信号、ディスカバリ信号などであってもよく、ダウンリンク共通情報は、具体的には、システムブロードキャストメッセージであってもよい。
【０１０９】
可能な実施態様では、UEによって送信された指示情報を受信した後に、第2の基地局は、まず、UEに指示メッセージを送信して、第1の基地局がダウンリンク情報を送信するための周期および／またはパターンを特定の時点で変更することをUEに通知し、その後に、第1の基地局に指示メッセージを送信して、ダウンリンク情報を送信するための周期および／またはパターンをその時点で変更するように第1の基地局に指示することができる。これは、本発明のこの実施形態では特に限定されない。
【０１１０】
また、図7に示すように、第2の基地局によって第1の基地局に第1の指示メッセージを送信するステップ（すなわち、S601）の後に、かつ、第2の基地局によって第2の指示メッセージをUEに送信するステップ（すなわち、S602）の前に、本発明のこの実施形態で提供されるダウンリンク情報の伝送方法は、S603をさらに含むことができる。
【０１１１】
S603．第2の基地局が、第2の周期の識別子および／または第2のパターンの識別子を取得し、第2の周期は、第1の基地局がダウンリンク情報を送信するための周期を変更した後に取得される送信周期であり、第2のパターンは、第1の基地局がダウンリンク情報を送信するためのパターンを変更した後に取得される送信パターンである。
【０１１２】
すなわち、第1の基地局が第1の指示メッセージを受信し、ダウンリンク情報を送信するための周期および／またはパターンを変更した後に、第2の基地局は、変更された周期および／またはパターンを取得し、第2の指示メッセージを使用してUEに通知する。
【０１１３】
具体的には、第2の基地局によって、第2の周期の識別子および／または第2のパターンの識別子を取得するステップ（すなわち、S603）は、
第2の基地局によって、第1の基地局によって送信された第2の周期の識別子および／または第2のパターンの識別子を受信するステップか、または、
第2の基地局によって、要求メッセージを第1の基地局に送信するステップであって、要求メッセージは、第2の周期の識別子および／または第2のパターンの識別子を取得することを要求するために使用される、ステップと、第2の基地局によって第1の基地局によって送信された要求応答メッセージを受信し、要求応答メッセージに従って第2の周期の識別子および／または第2のパターンの識別子を取得するステップであって、要求応答メッセージは、第2の周期の識別子および／または第2のパターンの識別子を運ぶ、ステップ
を含むことができる。
【０１１４】
さらに、図8に示すように、第2の基地局によって、第1の基地局に第1の指示メッセージを送信するステップ（すなわち、S6012）の後に、本発明のこの実施形態で提供されるダウンリンク情報の伝送方法は、S604をさらに含むことができる。
【０１１５】
S604．第2の基地局が、第1の基地局によってカバーされる少なくとも1つの第1のUEに第2の指示メッセージを送信する。
【０１１６】
本発明のこの実施形態で提供されるダウンリンク情報の伝送方法では、第2の基地局は、UEによって送信された指示情報を受信した後に、第1の基地局に第1の指示メッセージを送信し、第1の基地局は、ダウンリンク情報を送信するための周期および／またはパターンを変更する。従来技術とは異なり、本発明のこの実施形態で提供されるダウンリンク情報の伝送方法を用いることにより、基地局は固定周期を用いて、または固定パターンパターに従ってダウンリンク情報を送信するのではなく、（UEが基地局のリソースを使用する場合には）ダウンリンク情報の送信周期および／または送信パターンを変更すると判定した場合に、比較的多くの時間周波数リソースを使用することによってダウンリンク情報を送信するので、UEは、時間内にダウンリンク情報を受信し、ダウンリンク情報に従って迅速に基地局と無線接続を確立することができる。したがって、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。
【０１１７】
図9に示すように、本発明の別の実施形態は、ダウンリンク情報の伝送方法を提供する。
【０１１８】
S901．第1の基地局がダウンリンク情報を送信するための周期および／またはパターンを変更したとUEが判定し、UEが、ダウンリンク情報を送信するために第1の基地局によって使用される周期およびパターンを取得する。
【０１１９】
S902．UEが、周期およびパターンに従って、第1の基地局によって送信されたダウンリンク情報を受信する。
【０１２０】
当業者であれば容易に理解するように、第2の基地局は、具体的には、UEのユーザプレーンサイトまたは制御プレーンサイトであってもよく、第1の基地局は、具体的には、第1の基地局の1つまたは複数のセルであってもよいことに留意されたい。これは、本発明のこの実施形態では特に限定されない。
【０１２１】
ダウンリンク情報は、具体的には、ダウンリンク共通信号および／またはダウンリンク共通情報の一部または全部を含むことができる。ダウンリンク共通信号は、具体的には、セル基準信号、同期信号、ディスカバリ信号などであってもよく、ダウンリンク共通情報は、具体的には、システムブロードキャストメッセージであってもよい。
【０１２２】
好ましくは、本発明のこの実施形態で提供されるダウンリンク情報の伝送方法では、第1の基地局がダウンリンク情報を送信するための周期および／またはパターンを変更したことをUEによって判定するステップは、具体的には、
予め設定された条件が満たされているとUEが判定した後に、第1の基地局がダウンリンク情報を送信するための周期および／またはパターンを変更したことをUEによって判定するステップ
を含むことができる。
【０１２３】
予め設定された条件は、UEが、第1の基地局によって送信されたダウンリンクパイロットの測定値が指定値よりも大きいことを検出すること、または、UEによって取得されたフィンガープリント情報が予め格納されたフィンガープリント情報と一致すること、または、UEの現在位置の地理的位置情報が予め格納された地理的位置情報と一致すること、または、UEが第1の基地局または第2の基地局によって送信された指示メッセージを受信すること、を含み、指示メッセージは、ダウンリンク情報を送信するために第1の基地局によって使用される周期および／またはパターンが変更されたことを示すために使用される。
【０１２４】
好ましくは、予め設定された条件が、UEが第1の基地局によって送信されたダウンリンクパイロットの測定値が指定値よりも大きいことを検出すること、または、UEによって取得されたフィンガープリント情報が予め格納されたフィンガープリント情報と一致すること、または、UEの現在位置の地理的位置情報が予め格納された地理的位置情報と一致すること、である場合に、UEが、予め設定された条件が満たされたと判定した後に、本発明のこの実施形態におけるダウンリンク情報の伝送方法は、UEによって、第1の基地局に指示情報を送信するステップをさらに含むことができ、指示情報は、UEが第1の基地局によって送信されたダウンリンクパイロットの測定値が指定値よりも大きいことを検出すること、または、UEによって取得されたフィンガープリント情報が予め格納されたフィンガープリント情報と一致すること、または、UEの現在位置の地理的位置情報が予め格納された地理的位置情報と一致すること、を示すために使用される。
【０１２５】
オプションとして、予め設定された条件が、UEが第1の基地局によって送信されたダウンリンクパイロットの測定値が指定値よりも大きいことを検出すること、または、UEによって取得されたフィンガープリント情報が予め格納されたフィンガープリント情報と一致すること、または、UEの現在位置の地理的位置情報が予め格納された地理的位置情報と一致すること、である場合に、ダウンリンク情報を送信するために第1の基地局によって使用される周期およびパターンを、UEによって取得するステップは、ダウンリンク情報を送信するために第1の基地局によって使用される周期およびパターンを、予め格納された構成情報に従ってUEによって取得するステップを含む。
【０１２６】
すなわち、基地局側およびUE側は、第1の基地局がダウンリンク情報を送信するための周期および／またはパターンを変更する前後に取得された周期およびパターンを予め一致させることができる。このようにして、UEは、第1の基地局によって送信された指示メッセージおよび予め格納された構成情報に従って、ダウンリンク情報を送信するために第1の基地局によって現在使用されている周期およびパターンを取得することができる。例えば、第1の基地局がダウンリンク情報を送信するための周期だけを変更したと仮定すると、UEは、第1の基地局によって送信された指示メッセージに従って、第1の基地局がダウンリンク情報を送信するための周期を変更したことを知ることができ、予め格納された構成情報に従って、変更された送信周期と、送信周期が変更される前に取得された送信パターンと、を取得することができる。
【０１２７】
可能な実施態様では、予め設定された条件が、UEが第1の基地局または第2の基地局によって送信された指示メッセージを受信することである場合に、ダウンリンク情報を送信するために第1の基地局によって使用される周期およびパターンを、UEによって取得するステップは、具体的には、
UEによって、指示メッセージが第2の周期のみを運んでいると判定し、UEによって、指示メッセージで運ばれた第2の周期を取得し、予め格納された構成情報に従って第1のパターンを取得するステップであって、第2の周期は、第1の基地局がダウンリンク情報を送信するための周期を変更した後に取得された送信周期であり、第1のパターンは、第1の基地局がダウンリンク情報を送信するための周期を変更する前に取得された送信パターンである、ステップ
を含むことができ、
第1の基地局によって送信されたダウンリンク情報を、周期およびパターンに従ってUEによって受信するステップは、具体的には、
第1の基地局によって送信されたダウンリンク情報を、第2の周期および第1のパターンに従ってUEによって受信するステップ
を含むことができる。
【０１２８】
可能な実施態様では、予め設定された条件が、UEが第1の基地局または第2の基地局によって送信された指示メッセージを受信することである場合に、ダウンリンク情報を送信するために第1の基地局によって使用される周期およびパターンを、UEによって取得するステップは、具体的には、
UEによって、指示メッセージが第2のパターンの識別子のみを運んでいると判定し、UEによって、第2のパターンの識別子に従って第2のパターンを取得し、予め格納された構成情報に従って第1の周期を取得するステップであって、第2のパターンは、第1の基地局がダウンリンク情報を送信するためのパターンを変更した後に取得された送信パターンであり、第1の周期は、第1の基地局がダウンリンク情報を送信するためのパターンを変更する前に取得された送信周期である、ステップ
を含むことができ、
第1の基地局によって送信されたダウンリンク情報を、周期およびパターンに従ってUEによって受信するステップは、具体的には、
第1の基地局によって送信されたダウンリンク情報を、第1の周期および第2のパターンに従ってUEによって受信するステップ
を含むことができる。
【０１２９】
可能な実施態様では、予め設定された条件が、UEが第1の基地局または第2の基地局によって送信された指示メッセージを受信することである場合に、ダウンリンク情報を送信するために第1の基地局によって使用される周期およびパターンを、UEによって取得するステップは、具体的には、
指示メッセージが第2の周期の識別子および第2のパターンの識別子を運んでいるとUEによって判定し、指示メッセージで運ばれた第2の周期および第2のパターンの識別子をUEによって取得し、第2のパターンの識別子に従って第2のパターンを取得するステップであって、第1の周期は、第1の基地局がダウンリンク情報を送信するための周期を変更した後に取得された送信周期であり、第2のパターンは、第1の基地局がダウンリンク情報を送信するためのパターンを変更した後に取得された送信パターンである、ステップ
を含むことができ、
第1の基地局によって送信されたダウンリンク情報を、周期およびパターンに従ってUEによって受信するステップは、具体的には、
第1の基地局によって送信されたダウンリンク情報を、第2の周期および第2のパターンに従ってUEによって受信するステップ
を含むことができる。
【０１３０】
本発明のこの実施形態で提供されるダウンリンク情報の伝送方法では、第1の基地局がダウンリンク情報を送信するための周期および／またはパターンを変更したことを判定した後に、UEは、ダウンリンク情報を送信するために第1の基地局によって現在使用されている周期およびパターンを取得し、周期およびパターンに従って第1の基地局によって送信されたダウンリンク情報を受信する。本発明のこの実施形態で提供されるダウンリンク情報の伝送方法を用いることにより、基地局は、（基地局が固定された時間周波数リソースを使用してダウンリンク情報を送信したとしても）固定周期または固定パターンを用いてダウンリンク情報を送信しないで、比較的多くの時間周波数リソースを使用してダウンリンク情報を送信するために、ダウンリンク情報を送信するための周期および／またはパターンを変更する。このように、基地局がダウンリンク情報を送信するための周期および／またはパターンを変更したと判定した後に、UEはダウンリンク情報を時間内に受信し、ダウンリンク情報に従って基地局との無線接続を迅速に確立することができる。したがって、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。
【０１３１】
図10に示すように、本発明の別の実施形態は、ダウンリンク情報の伝送方法を提供する。
【０１３２】
S1001．第1の基地局が、第1のパターンに従って第1の周期を使用してダウンリンク情報を送信する。
【０１３３】
S1002．UEは、アップリンクパイロットを第1の基地局に送信する。
【０１３４】
S1003．第1の基地局が、UEによって送信されたアップリンクパイロットの測定値が指定値よりも大きいことを検出し、第1の基地局が、第1のパターンに従って第2の周期を使用して、または第2のパターンに従って第1の周期を使用して、または第2のパターンに従って第2の周期を使用して、ダウンリンク情報を送信する。
【０１３５】
第2の周期は第1の周期よりも短く、第2パターンによって占有されるOFDMシンボルは、第1パターンによって占有されるOFDMシンボルよりも多い。
【０１３６】
S1004．第1の基地局は、指示メッセージをUEに送信し、指示メッセージは、ダウンリンク情報を送信するために第1の基地局によって使用される周期および／またはパターンが変更されたことを示すために使用される。
【０１３７】
好ましくは、第1の基地局は、同時に、第1の基地局によってカバーされる別のUEに指示メッセージを送信して、ダウンリンク情報を送信するために第1の基地局によって使用される周期および／またはパターンが変更されたことを別のUEに通知することができる。すなわち、本発明のこの実施形態で提供されるダウンリンク情報の伝送方法は、第1の基地局によってカバーされる少なくとも1つの第1のUEに指示メッセージを第1の基地局によって送信するステップをさらに含むことができる。
【０１３８】
基地局側とUE側とは、基地局側がダウンリンク情報を送信するための周期および／またはパターンを変更する前に取得された周期およびパターン（すなわち、第1の周期および第1のパターン）を予め一致させることができ、基地局側は、指示メッセージに第2の周期および／または第2のパターンの識別子を付加して、変更された周期および／またはパターンをUEに通知することに留意されたい。
【０１３９】
さらに、基地局側とUE側とは、基地局側がダウンリンク情報を送信するための周期および／または送信パターンを変更した後に取得された周期およびパターン（すなわち、第2の周期および第2のパターン）をさらに一致させることができる。この場合、指示メッセージは、ダウンリンク情報を送信するために基地局によって使用される周期および／またはパターンが変更されたことのみを示し、情報を運ぶ必要はない。
【０１４０】
確かに、基地局側とUE側とが、第1の周期、第1のパターン、第2の周期、または第2のパターンを予め一致させない場合には、基地局側が、指示メッセージに、第1の周期もしくは第2の周期および第1のパターンの識別子もしくは第2のパターンの識別子を付加して、ダウンリンク情報を送信するために基地局が現在使用している周期およびパターンをUEに通知することができる。これは、本発明のこの実施形態では特に限定されない。
【０１４１】
さらに、第1の基地局がダウンリンク情報を送信するための開始位置を同時に変更した場合には、第1の基地局は、変更された開始位置をUEに通知する必要があることにさらに留意されたい。
【０１４２】
S1005．UEは、指示メッセージを受信し、指示メッセージに従って、ダウンリンク情報を送信するために第1の基地局によって使用される周期およびパターンを取得する。
【０１４３】
具体的には、基地局側とUE側とが第1の周期および第1のパターンを予め一致させるが、第2の周期または第2のパターンを一致させていない場合には、指示メッセージに従って、ダウンリンク情報を送信するために第1の基地局によって使用される周期およびパターンを取得するステップは、具体的には、
UEによって、指示メッセージが第2の周期のみを運んでいると判定し、UEによって、指示メッセージで運ばれた第2の周期を取得し、予め格納された構成情報に従って第1のパターンを取得するステップ、または、
UEによって、指示メッセージが第2のパターンの識別子のみを運んでいると判定し、UEによって、第2のパターンの識別子に従って第2のパターンを取得し、予め格納された構成情報に従って第1の周期を取得するステップ、または、
UEによって、指示メッセージが第2の周期および第2のパターンの識別子を運んでいると判定し、UEによって、指示メッセージで運ばれた第2の周期および第2のパターンの識別子を取得し、第2のパターンの識別子に基づいて第2のパターンを取得するステップ
を含むことができる。
【０１４４】
基地局側とUE側とが第1の周期、第1のパターン、第2の周期、および第2のパターンを予め一致させている場合には、UEは、第1の基地局がダウンリンク情報を送信するための周期および／またはパターンを具体的に変更したことを、第1の基地局によって送信された指示メッセージに従って知ることができ、さらに、予め格納された構成情報に従って、ダウンリンク情報を送信するために第1の基地局によって現在使用されている周期およびパターンを取得することができる。例えば、第1の基地局がダウンリンク情報を送信するための周期だけを変更したと仮定すると、UEは、第1の基地局によって送信された指示メッセージに従って、第1の基地局がダウンリンク情報を送信するための周期を変更したことを知ることができ、さらに、予め格納された構成情報に従って、変更された送信周期（すなわち、第2の周期）と、送信周期が変更される前に取得された送信パターン（すなわち、第1のパターン）と、を取得することができる。
【０１４５】
基地局側とUE側とが第1の周期、第1のパターン、第2の周期、または第2のパターンを予め一致させていない場合には、UEは、指示メッセージで運ばれた関連情報に従って、ダウンリンク情報を送信するために第1の基地局によって現在使用されている周期およびパターンを取得することができる。これは、本発明のこの実施形態では特に限定されない。例えば、第1の基地局がダウンリンク情報を送信するための周期だけを変更したと仮定すると、第1の基地局は、第2の周期および第1のパターンの識別子を運ぶ指示メッセージをUEに送信し、UEは、指示メッセージを受信した後に、ダウンリンク情報を送信するために第1の基地局によって現在使用されている周期およびパターンを取得することができる。
【０１４６】
S1006．UEが、周期およびパターンに従って、第1の基地局によって送信されたダウンリンク情報を受信する。
【０１４７】
S1007．UEが第1の基地局にアクセスした後に、第1の基地局は、第1のパターンに従って第1の周期を使用して予め設定された時点でダウンリンク情報を送信し、または予め設定された時間の後に第1のパターンに従って第1の周期を使用してダウンリンク情報を送信する。
【０１４８】
本発明のこの実施形態で提供されるダウンリンク情報の伝送方法を用いることにより、一態様では、従来技術と異なり、基地局は、（基地局が固定された時間周波数リソースを使用してダウンリンク情報を送信したとしても）固定周期または固定パターンを用いてダウンリンク情報を送信しないで、比較的多くの時間周波数リソースを使用してダウンリンク情報を送信するために、ダウンリンク情報を送信するための周期および／またはパターンを変更する。このように、基地局がダウンリンク情報を送信するための周期および／またはパターンを変更したと判定した後に、UEはダウンリンク情報を時間内に受信し、ダウンリンク情報に従って基地局との無線接続を迅速に確立することができる。したがって、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。別の態様では、本発明のこの実施形態で提供されるダウンリンク情報の伝送方法では、UEが基地局にアクセスした後に、または一定の期間後に、基地局は、比較的少ない時間周波数リソースを使用してダウンリンク情報を送信するので、ダウンリンク情報の送信のオーバーヘッドを低減することができ、より多くの時間周波数リソースを使用してデータを送信し、さらにダウンリンク容量およびダウンリンクリソース利用率が改善される。したがって、本発明のこの実施形態で提供されるダウンリンク情報の伝送方法によれば、従来技術と比較して、基地局がダウンリンク情報を送信する際のオーバーヘッドを低減し、ダウンリンク容量を向上させることができ、さらにダウンリンクリソースの利用率を向上させることができる。
【０１４９】
結論的に、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。同時に、基地局がダウンリンク情報を送信するために使用するオーバーヘッドを低減し、ダウンリンク容量を改善し、ダウンリンクリソースの利用率を改善することができる。
【０１５０】
図11aに示すように、本発明の別の実施形態は、ダウンリンク情報の伝送方法を提供する。
【０１５１】
S1101．第1の基地局が、第1のパターンに従って第1の周期を使用してダウンリンク情報を送信する。
【０１５２】
S1102．UEが、第1の基地局によって送信されたダウンリンクパイロットの測定値が指定値よりも大きいことを検出し、第1の指示情報を第2の基地局に送信する。
【０１５３】
第1の指示情報は、第1の基地局によって送信されたダウンリンクパイロットの測定値が指定値よりも大きいことをUEが検出したことを示すために使用される。
【０１５４】
S1103．第2の基地局は、UEによって送信された第1の指示情報を受信する。
【０１５５】
第2の基地局は、具体的には、UEの制御プレーンサイトまたはユーザプレーンサイトであってもよい。これは、本発明のこの実施形態では特に限定されない。
【０１５６】
S1104．第2の基地局は、第1の指示メッセージを第1の基地局に送信する。
【０１５７】
第1の指示メッセージは、第1の基地局に、ダウンリンク情報を送信するための周期および／またはパターンを変更するように指示するために使用される。
【０１５８】
S1105．第1の基地局は、第1の指示メッセージを受信し、第1のパターンに従って第2の周期を使用して、または第2のパターンに従って第1の周期を使用して、または第2のパターンに従って第2の周期を使用して、ダウンリンク情報を送信する。
【０１５９】
S1106a1．第1の基地局は、第2の周期の識別子および／または第2のパターンの識別子を第2の基地局に送信する。
【０１６０】
S1106a2．第2の基地局は、第2の周期の識別子および／または第2のパターンの識別子を受信する。
【０１６１】
S1107．第2の基地局は、第2の指示メッセージをUEに送信する。
【０１６２】
第2の指示メッセージは、ダウンリンク情報を送信するために第1の基地局によって使用される周期および／またはパターンが変更されたことを示すために使用され、第2の指示メッセージは、第2の周期の識別子および／または第2のパターンの識別子を運ぶ。
【０１６３】
好ましくは、第2の基地局は、同時に、第1の基地局によってカバーされる別のUEに指示メッセージを送信して、ダウンリンク情報を送信するために第1の基地局によって使用される周期および／またはパターンが変更されたことを別のUEに通知することができる。すなわち、本発明のこの実施形態で提供されるダウンリンク情報の伝送方法は、第1の基地局によってカバーされる少なくとも1つの第1のUEに指示メッセージを第2の基地局によって送信するステップをさらに含むことができる。
【０１６４】
S1108．UEは、第2の指示メッセージを受信し、第2の指示メッセージに従って、ダウンリンク情報を送信するために第1の基地局によって使用される周期およびパターンを取得する。
【０１６５】
具体的には、UEが、第2の指示メッセージに従って、第1の基地局がダウンリンク情報を送信するために使用する周期およびパターンを取得するプロセスについては、本発明の前の実施形態の関連する説明を参照されたく、本発明のこの実施形態では再度詳細を説明しない。
【０１６６】
S1109．UEが、周期およびパターンに従って、第1の基地局によって送信されたダウンリンク情報を受信する。
【０１６７】
S1110a1．UEが、第2の指示情報を第2の基地局に送信する。
【０１６８】
第2の指示情報は、UEがすでに第1の基地局にアクセスしていることを示すために使用される。
【０１６９】
S1110a2．第2の基地局が、UEによって送信された第2の指示情報を受信する。
【０１７０】
S1110a3．第2の基地局が、第3の指示メッセージを第1の基地局に送信する。
【０１７１】
第3の指示メッセージは、第1のパターンに従って第1の周期を使用して予め設定された時点でダウンリンク情報を送信するように、第1の基地局に指示するために使用される。
【０１７２】
S1110a4．第1の基地局が、第3の指示メッセージを受信し、第1のパターンに従って第1の周期を使用して予め設定された時点でダウンリンク情報を送信する。
【０１７３】
あるいは、図11bに示すように、ステップS1105の後に、ステップS1107の前に、本方法はステップS1106b1〜ステップS1106b4を含む。
【０１７４】
S1106b1．第2の基地局が、第1の基地局に要求メッセージを送信する。
【０１７５】
要求メッセージは、第2の周期の識別子および／または第2のパターンの識別子を取得することを要求するために使用される。
【０１７６】
S1106b2．第1の基地局が要求メッセージを受信する。
【０１７７】
S1106b3．第1の基地局が、要求応答メッセージを第2の基地局に送信する。
【０１７８】
要求応答メッセージは、第2の周期の識別子および／または第2のパターンの識別子を運ぶ。
【０１７９】
S1106b4．第2の基地局が、要求応答メッセージを受信し、要求応答メッセージに従って第2の周期および／または第2のパターンの識別子を取得する。
【０１８０】
あるいは、図11bに示すように、本方法は、ステップS1109の後に、S1110b1およびS1110b2を含む。
【０１８１】
S1110b1．第2の基地局が、第4の指示メッセージを第1の基地局に送信する。
【０１８２】
第4の指示メッセージは、予め設定された時間の後に第1のパターンに従って第1の周期を使用してダウンリンク情報を送信するように第1の基地局に指示するために使用される。
【０１８３】
S1110b2．第1の基地局が、第4の指示メッセージを受信し、予め設定された時間の後に第1のパターンに従って第1の周期を使用してダウンリンク情報を送信する。
【０１８４】
本発明のこの実施形態で提供されるダウンリンク情報の伝送方法を用いることにより、一態様では、従来技術と異なり、基地局は、（基地局が固定された時間周波数リソースを使用してダウンリンク情報を送信したとしても）固定周期または固定パターンを用いてダウンリンク情報を送信しないで、比較的多くの時間周波数リソースを使用してダウンリンク情報を送信するために、ダウンリンク情報を送信するための周期および／またはパターンを変更する。このように、基地局がダウンリンク情報を送信するための周期および／またはパターンを変更したと判定した後に、UEはダウンリンク情報を時間内に受信し、ダウンリンク情報に従って基地局との無線接続を迅速に確立することができる。したがって、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。別の態様では、本発明のこの実施形態で提供されるダウンリンク情報の伝送方法では、UEが基地局にアクセスした後に、または一定の期間後に、基地局は、比較的少ない時間周波数リソースを使用してダウンリンク情報を送信するので、ダウンリンク情報の送信のオーバーヘッドを低減することができ、より多くの時間周波数リソースを使用してデータを送信し、さらにダウンリンク容量およびダウンリンクリソース利用率が改善される。したがって、本発明のこの実施形態で提供されるダウンリンク情報の伝送方法によれば、従来技術と比較して、基地局がダウンリンク情報を送信する際のオーバーヘッドを低減し、ダウンリンク容量を向上させることができ、さらにダウンリンクリソースの利用率を向上させることができる。
【０１８５】
結論的に、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。同時に、基地局がダウンリンク情報を送信するために使用するオーバーヘッドを低減し、ダウンリンク容量を改善し、ダウンリンクリソースの利用率を改善することができる。
【０１８６】
図12に示すように、本発明の別の実施形態は、ダウンリンク情報の伝送方法を提供する。
【０１８７】
S1201．第1の基地局が、第1のパターンに従って第1の周期を使用してダウンリンク情報を送信する。
【０１８８】
S1202．第1の基地局が、パイロット信号をUEに送信する。
【０１８９】
S1203．UEが、第1の基地局によって送信されたパイロット信号を受信し、第1の基地局によって送信されたパイロット信号を測定する。
【０１９０】
S1204．UEが、第1の基地局によって送信されたパイロット信号の測定値が指定値よりも大きいことを検出し、UEが、第1の基地局に指示情報を送信する。
【０１９１】
指示情報は、第1の基地局によって送信されたパイロット信号の測定値が指定値よりも大きいことをUEが検出したことを示すために使用される。測定値は、具体的には、信号強度、信号品質、またはCQIであってもよい。これは、本発明のこの実施形態では特に限定されない。
【０１９２】
S1205．第1の基地局が、UEによって送信された指示情報を受信し、第1のパターンに従って第2の周期を使用して、または第2のパターンに従って第1の周期を使用して、または第2のパターンに従って第2の周期を使用して、ダウンリンク情報を送信する。
【０１９３】
第2の周期は第1の周期よりも短く、第2パターンによって占有されるOFDMシンボルは、第1パターンによって占有されるOFDMシンボルよりも多い。
【０１９４】
S1206．UEが、予め格納された構成情報に従って、ダウンリンク情報を送信するために第1の基地局によって使用される周期およびパターンを取得する。
【０１９５】
すなわち、第1の基地局によって送信されたパイロット信号の測定値が指定値よりも大きいことを検出し、第1の基地局に指示情報を送信した後に、UEは、第1の基地局がダウンリンク情報を送信するための周期および／またはパターンを変更したとみなし、予め格納された構成情報に従って、ダウンリンク情報を送信するために第1の基地局によって現在使用されている周期および／またはパターンを取得する。
【０１９６】
具体的には、基地局側とUE側とが、基地局側がダウンリンク情報を送信するための周期のみを変更する、または基地局側がダウンリンク情報を送信するためのパターンのみを変更することについて合意することができ、あるいは基地局側がダウンリンク情報を送信するための周期とパターンの両方を変更し、基地局側とUE側とが、ダウンリンク情報を送信するために基地局側によって使用される変更された周期とパターンについて合意する。このようにして、UEは、予め格納された構成情報に従って、基地局によってダウンリンク情報を送信するために現在使用されている周期およびパターンを知ることができる。
【０１９７】
S1207．UEが、周期およびパターンに従って、第1の基地局によって送信されたダウンリンク情報を受信する。
【０１９８】
S1208．UEが第1の基地局にアクセスした後に、第1の基地局が、第1のパターンに従って第1の周期を使用して予め設定された時点でダウンリンク情報を送信し、または予め設定された時間の後に第1のパターンに従って第1の周期を使用してダウンリンク情報を送信する。
【０１９９】
本発明のこの実施形態で提供されるダウンリンク情報の伝送方法を用いることにより、一態様では、従来技術と異なり、基地局は、（基地局が固定された時間周波数リソースを使用してダウンリンク情報を送信したとしても）固定周期または固定パターンを用いてダウンリンク情報を送信しないで、比較的多くの時間周波数リソースを使用してダウンリンク情報を送信するために、ダウンリンク情報を送信するための周期および／またはパターンを変更する。このように、基地局がダウンリンク情報を送信するための周期および／またはパターンを変更したと判定した後に、UEはダウンリンク情報を時間内に受信し、ダウンリンク情報に従って基地局との無線接続を迅速に確立することができる。したがって、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。別の態様では、本発明のこの実施形態で提供されるダウンリンク情報の伝送方法では、UEが基地局にアクセスした後に、または一定の期間後に、基地局は、比較的少ない時間周波数リソースを使用してダウンリンク情報を送信するので、ダウンリンク情報の送信のオーバーヘッドを低減することができ、より多くの時間周波数リソースを使用してデータを送信し、さらにダウンリンク容量およびダウンリンクリソース利用率が改善される。したがって、本発明のこの実施形態で提供されるダウンリンク情報の伝送方法によれば、従来技術と比較して、基地局がダウンリンク情報を送信する際のオーバーヘッドを低減し、ダウンリンク容量を向上させることができ、さらにダウンリンクリソースの利用率を向上させることができる。
【０２００】
結論的に、従来技術と比較して、本発明のこの実施形態で提供されるダウンリンク情報の伝送方法によって、UEが時間内にダウンリンク情報を取得することができ、さらに基地局との無線接続を迅速に確立することができるので、UEがネットワークにアクセスするための時間が短縮され、さらにユーザエクスペリエンスが向上する。同時に、基地局がダウンリンク情報を送信するために使用するオーバーヘッドを低減し、ダウンリンク容量を改善し、ダウンリンクリソースの利用率を改善することができる。
【０２０１】
図13に示すように、本発明の別の実施形態は、送信部1301および決定部1302を含む第1の基地局130を提供する。
【０２０２】
送信部1301は、第1のパターンに従って第1の周期を用いてダウンリンク情報を送信するように構成されている。
【０２０３】
決定部1302は、ダウンリンク情報の送信周期および／または送信パターンを変更することを決定するように構成される。
【０２０４】
送信部1301は、決定部1302がダウンリンク情報の送信周期および／または送信パターンを変更することを決定した場合に、第1のパターンに従って第2の周期を使用して、または第2のパターンに従って第1の周期を使用して、または第2のパターンに従って第2の周期を使用して、ダウンリンク情報を送信するようにさらに構成される。
【０２０５】
第2の周期は第1の周期よりも短く、第2パターンによって占有されるOFDMシンボルは、第1パターンによって占有されるOFDMシンボルよりも多い。
【０２０６】
具体的には、ダウンリンク情報は、ダウンリンク共通信号および／またはダウンリンク共通情報の一部または全部を含むことができる。
【０２０７】
また、図14に示すように、本発明のこの実施形態で提供される第1の基地局130は、検出部1303と受信部1304とをさらに含むことができる。
【０２０８】
検出部1303は、UEによって送信されたアップリンクパイロットの測定値が指定値よりも大きいかどうかを検出するように構成される。
【０２０９】
受信部1304は、UEによって送信された近接指示メッセージ、アクセスシーケンス、またはスケジューリング要求信号を受信するように構成される。
【０２１０】
受信部1304は、第2の基地局によって送信された第1の指示メッセージを受信するようにさらに構成され、第1の指示メッセージは、第1の基地局130に、ダウンリンク情報の送信周期および／または送信パターンを変更するように指示するために使用される。
【０２１１】
決定部1302は、具体的には、予め設定された条件が満たされたと判定した後に、ダウンリンク情報の送信周期および／または送信パターンを変更することを決定するように構成され、予め設定された条件は、UEによって送信されたアップリンクパイロットの測定値が指定値よりも大きいことを検出部1303が検出すること、または、受信部1304がUEによって送信された近接指示メッセージ、アクセスシーケンス、もしくはスケジューリング要求信号を受信すること、または、受信部1304が第2の基地局によって送信された第1の指示メッセージを受信すること、を含む。
【０２１２】
好ましくは、本発明のこの実施形態で提供される第1の基地局130において、送信部1301は、ダウンリンク情報を送信した後に、UEが第1の基地局130にアクセスした後に、第1のパターンに従って第1の周期を使用して予め設定された時点でダウンリンク情報を送信し、または予め設定された時間の後に第1のパターンに従って第1の周期を使用してダウンリンク情報を送信するようにさらに構成される。
【０２１３】
好ましくは、本発明のこの実施形態で提供される第1の基地局130において、送信部1301は、予め設定された条件が、受信部1304が第2の基地局によって送信された第1の指示メッセージを受信することである場合に、送信部1301がダウンリンク情報を送信した後に、第2の周期の識別子および／または第2のパターンの識別子を第2の基地局に送信するようにさらに構成され、または、受信部1304は、予め設定された条件が、受信部1304が第2の基地局によって送信された第1の指示メッセージを受信することである場合に、送信部1301がダウンリンク情報を送信した後に、第2の基地局によって送信された要求メッセージを受信するようにさらに構成され、要求メッセージは、第2の周期の識別子および／または第2のパターンの識別子を取得することを要求するために使用され、送信部1301は、要求応答メッセージを第2の基地局に送信するようにさらに構成され、要求応答メッセージは、第2の周期の識別子および／または第2のパターンの識別子を運ぶ。
【０２１４】
好ましくは、本発明のこの実施形態で提供される第1の基地局130において、送信部1301は、予め設定された条件が、UEによって送信されたアップリンクパイロットの測定値が指定値よりも大きいことを検出部1303が検出すること、または、受信部1304がUEによって送信された近接指示メッセージ、アクセスシーケンス、もしくはスケジューリング要求信号を受信すること、である場合に、ダウンリンク情報を送信した後に、第2の指示メッセージをUEに送信するようにさらに構成され、第2の指示メッセージは、ダウンリンク情報を送信するために第1の基地局130によって使用される周期および／またはパターンが変更されたことを示すために使用される。
【０２１５】
オプションとして、本発明のこの実施形態で提供される第1の基地局130において、第2の指示メッセージは、第2の周期の識別子および／または第2のパターンの識別子を運ぶ。
【０２１６】
オプションとして、本発明のこの実施形態で提供される第1の基地局130において、送信部1301は、ダウンリンク情報を送信した後に、第1の基地局130によってカバーされる少なくとも1つの第1のUEに第2の指示メッセージを送信するようにさらに構成される。
【０２１７】
従来技術とは異なり、本発明のこの実施形態で提供される第1の基地局を用いることにより、第1の基地局は固定周期を用いて、または固定パターンパターに従ってダウンリンク情報を送信するのではなく、（UEが第1の基地局のリソースを使用する場合には）ダウンリンク情報の送信周期および／または送信パターンを変更すると判定した場合に、比較的多くの時間周波数リソースを使用することによってダウンリンク情報を送信するので、UEは、時間内にダウンリンク情報を受信し、ダウンリンク情報に従って迅速に第1の基地局と無線接続を確立することができる。したがって、従来技術と比較して、本発明のこの実施形態で提供される第1の基地局によって、UEが時間内にダウンリンク情報を取得することができ、さらに基地局との無線接続を迅速に確立することができるので、UEがネットワークにアクセスするための時間が短縮され、さらにユーザエクスペリエンスが向上する。
【０２１８】
図15に示すように、本発明の別の実施形態は、受信部1501および送信部1502を含む第2の基地局150を提供する。
【０２１９】
受信部1501は、UEによって送信された指示情報を受信するように構成され、指示情報は、第1の基地局によって送信されたダウンリンクパイロットの測定値が指定値よりも大きいことをUEが検出したことを示すために使用される。
【０２２０】
送信部1502は、受信部1501がUEによって送信された指示情報を受信した後に、第1の基地局に第1の指示メッセージを送信するように構成され、第1の指示メッセージは、第1の基地局にダウンリンク情報を送信するための周期および／またはパターンを変更するように指示するために使用される。
【０２２１】
送信部1502は、第2の指示メッセージをUEに送信するようにさらに構成され、第2の指示メッセージは、ダウンリンク情報を送信するために第1の基地局によって使用される周期および／またはパターンが変更されたことを示すために使用される。
【０２２２】
ダウンリンク情報は、具体的には、ダウンリンク共通信号および／またはダウンリンク共通情報の一部または全部を含むことができる。
【０２２３】
さらに、図16に示すように、本発明のこの実施形態で提供される第2の基地局150は、取得部1503をさらに含むことができる。
【０２２４】
取得部1503は、送信部1502が第1の指示メッセージを第1の基地局に送信した後に、送信部1502が第2の指示メッセージをUEに送信する前に、第2の周期の識別子および／または第2のパターンの識別子を取得するように構成され、第2の周期は、第1の基地局がダウンリンク情報を送信するための周期を変更した後に取得された送信周期であり、第2のパターンは、第1の基地局がダウンリンク情報を送信するためのパターンを変更した後に取得された送信パターンである。
【０２２５】
好ましくは、本発明のこの実施形態で提供される第2の基地局150において、取得部1503は、具体的には、第1の基地局によって送信された第2の周期の識別子および／または第2のパターンの識別子を受信し、または、要求メッセージを第1の基地局に送信し、要求メッセージは、第2の周期の識別子および／または第2のパターンの識別子を取得することを要求するために使用され、第1の基地局によって送信された要求応答メッセージを受信し、要求応答メッセージに従って第2の周期の識別子および／または第2のパターンの識別子を取得するように構成され、要求応答メッセージは、第2の周期の識別子および／または第2のパターンの識別子を運ぶ。
【０２２６】
好ましくは、本発明のこの実施形態で提供される第2の基地局150において、送信部1502は、第1の指示メッセージを第1の基地局に送信した後に、第1の基地局によってカバーされる少なくとも1つの第1のUEに第2の指示メッセージを送信するようにさらに構成される。
【０２２７】
本発明のこの実施形態では、第2の基地局は、UEによって送信された指示情報を受信した後に、第1の基地局に第1の指示メッセージを送信し、第1の基地局に、ダウンリンク情報を送信するための周期および／またはパターンを変更するように指示する。このようにして、第2の基地局によって送信された指示メッセージを受信した後に、第1の基地局が、ダウンリンク情報の送信周期および／または送信パターンを変更する必要があると決定し、ダウンリンク情報の送信周期および／または送信パターンをさらに変更し、比較的多くの時間周波数リソースを用いてダウンリンク情報を送信することができるので、UEは、時間内にダウンリンク情報を受信し、ダウンリンク情報に従って第1の基地局との無線接続を迅速に確立することができる。したがって、従来技術と比較して、本発明のこの実施形態で提供される第2の基地局によって、UEが時間内にダウンリンク情報を取得することができ、さらに第1の基地局との無線接続を迅速に確立することができるので、UEがネットワークにアクセスするための時間が短縮され、さらにユーザエクスペリエンスが向上する。
【０２２８】
図17に示すように、本発明の別の実施形態は、決定部1701、取得部1702、および受信部1703を含むUE170を提供する。
【０２２９】
決定部1701は、第1の基地局が、ダウンリンク情報を送信するための周期および／またはパターンを変更したことを判定するように構成される。
【０２３０】
取得部1702は、ダウンリンク情報を送信するために第1の基地局によって使用される周期およびパターンを取得するように構成される。
【０２３１】
受信部1703は、第1の基地局によって送信されたダウンリンク情報を、周期およびパターンに従って受信するように構成される。
【０２３２】
ダウンリンク情報は、具体的には、ダウンリンク共通信号および／またはダウンリンク共通情報の一部または全部を含むことができる。
【０２３３】
さらに、図18に示すように、本発明のこの実施形態で提供されるUE170は、検出部1704をさらに含むことができる。
【０２３４】
検出部1704は、第1の基地局によって送信されたダウンリンクパイロットの測定値が指定値よりも大きいかどうか、UE170によって取得されたフィンガープリント情報が予め格納されたフィンガープリント情報と一致するかどうか、およびUE170の現在位置の地理的位置情報が予め格納された地理的位置情報と一致するかどうか、を検出するように構成される。
【０２３５】
受信部1703は、第1の基地局または第2の基地局によって送信された指示メッセージを受信するようにさらに構成され、指示メッセージは、ダウンリンク情報を送信するために第1の基地局によって使用される周期および／またはパターンが変更されたことを示すために使用される。
【０２３６】
決定部1701は、具体的には、予め設定された条件が満たされていると判定した後に、第1の基地局が、ダウンリンク情報を送信するための周期および／またはパターンを変更したことを判定するように構成され、予め設定された条件は、第1の基地局によって送信されたダウンリンクパイロットの測定値が指定値よりも大きいことを検出部1704が検出すること、または、UE170によって取得されたフィンガープリント情報が予め格納されたフィンガープリント情報と一致すること、または、UE170の現在位置の地理的位置情報が予め格納された地理的位置情報と一致すること、または、受信部1703が第1の基地局または第2の基地局によって送信された指示メッセージを受信すること、を含む。
【０２３７】
また、図19に示すように、本発明のこの実施形態で提供されるUE170は、送信部1705をさらに含むことができる。
【０２３８】
送信部1705は、予め設定された条件が、検出部1704が第1の基地局によって送信されたダウンリンクパイロットの測定値が指定値よりも大きいことを検出すること、または、UE170によって取得されたフィンガープリント情報が予め格納されたフィンガープリント情報と一致すること、または、UE170の現在位置の地理的位置情報が予め格納された地理的位置情報と一致すること、である場合に、決定部1701が、予め設定された条件が満たされたと判定した後に、第1の基地局に指示情報を送信するように構成され、指示情報は、検出部1704が第1の基地局によって送信されたダウンリンクパイロットの測定値が指定値よりも大きいことを検出すること、または、UE170によって取得されたフィンガープリント情報が予め格納されたフィンガープリント情報と一致すること、または、UE170の現在位置の地理的位置情報が予め格納された地理的位置情報と一致すること、を示すために使用される。
【０２３９】
好ましくは、本発明のこの実施形態で提供されるUE170において、取得部1702は、具体的には、予め設定された条件が、検出部1704が第1の基地局によって送信されたダウンリンクパイロットの測定値が指定値よりも大きいことを検出すること、または、UE170によって取得されたフィンガープリント情報が予め格納されたフィンガープリント情報と一致すること、または、UE170の現在位置の地理的位置情報が予め格納された地理的位置情報と一致すること、である場合に、予め格納された構成情報に従って、ダウンリンク情報を送信するために第1の基地局によって使用される周期およびパターンを取得するように構成される。
【０２４０】
可能な実施態様では、本発明のこの実施形態で提供されるUE170において、取得部1702は、具体的には、予め設定された条件が、受信部1703が第1の基地局または第2の基地局によって送信された指示メッセージを受信することである場合に、指示メッセージが第2の周期のみを運んでいると判定し、指示メッセージで運ばれた第2の周期を取得し、予め格納された構成情報に従って第1のパターンを取得するように構成され、第2の周期は、第1の基地局がダウンリンク情報を送信するための周期を変更した後に取得された送信周期であり、第1のパターンは、第1の基地局がダウンリンク情報を送信するための周期を変更する前に取得された送信パターンであり、受信部1703は、具体的には、第1の基地局によって送信されたダウンリンク情報を、第2の周期および第1のパターンに従って受信するように構成される。
【０２４１】
可能な実施態様では、本発明のこの実施形態で提供されるUE170において、取得部1702は、具体的には、予め設定された条件が、受信部1703が第1の基地局または第2の基地局によって送信された指示メッセージを受信することである場合に、指示メッセージが第2のパターンの識別子のみを運んでいると判定し、第2のパターンの識別子に従って第2のパターンを取得し、予め格納された構成情報に従って第1の周期を取得するように構成され、第2のパターンは、第1の基地局がダウンリンク情報を送信するためのパターンを変更した後に取得された送信パターンであり、第1の周期は、第1の基地局がダウンリンク情報を送信するためのパターンを変更する前に取得された送信周期であり、受信部1703は、具体的には、第1の基地局によって送信されたダウンリンク情報を、第1の周期および第2のパターンに従って受信するように構成される。
【０２４２】
可能な実施態様では、本発明のこの実施形態で提供されるUE170において、取得部1702は、具体的には、予め設定された条件が、受信部1703が第1の基地局または第2の基地局によって送信された指示メッセージを受信することである場合に、指示メッセージが第2の周期の識別子および第2のパターンの識別子を運んでいると判定し、指示メッセージで運ばれた第2の周期の識別子および第2のパターンの識別子を取得し、第2のパターンの識別子に従って第2のパターンを取得するように構成され、第1の周期は、第1の基地局がダウンリンク情報を送信するための周期を変更した後に取得された送信周期であり、第2のパターンは、第1の基地局がダウンリンク情報を送信するためのパターンを変更した後に取得された送信パターンであり、受信部1703は、具体的には、第1の基地局によって送信されたダウンリンク情報を、第2の周期および第2のパターンに従って受信するように構成される。
【０２４３】
第1の基地局がダウンリンク情報を送信するための周期および／またはパターンを変更したことを判定した後に、本発明のこの実施形態で提供されるUEは、ダウンリンク情報を送信するために第1の基地局によって現在使用されている周期およびパターンを取得し、周期およびパターンに従って第1の基地局によって送信されたダウンリンク情報を受信する。したがって、本発明のこの実施形態で提供されるUEを用いることにより、基地局は、（基地局が固定された時間周波数リソースを使用してダウンリンク情報を送信したとしても）固定周期または固定パターンを用いてダウンリンク情報を送信しないで、比較的多くの時間周波数リソースを使用してダウンリンク情報を送信するために、ダウンリンク情報を送信するための周期および／またはパターンを変更する。このように、基地局がダウンリンク情報を送信するための周期および／またはパターンを変更したと判定した後に、UEはダウンリンク情報を時間内に受信し、ダウンリンク情報に従って基地局との無線接続を迅速に確立することができる。したがって、従来技術と比較して、本発明のこの実施形態で提供されるUEによって、UEが時間内にダウンリンク情報を取得することができ、さらに基地局との無線接続を迅速に確立することができるので、UEがネットワークにアクセスするための時間が短縮され、さらにユーザエクスペリエンスが向上する。
【０２４４】
図20に示すように、本発明の別の実施形態は、送信機2001およびプロセッサ2002を含む第1の基地局200を提供する。
【０２４５】
送信機2001は、第1のパターンに従って第1の周期を使用してダウンリンク情報を送信するように構成される。
【０２４６】
プロセッサ2002は、ダウンリンク情報の送信周期および／または送信パターンを変更することを決定するように構成される。
【０２４７】
送信機2001は、プロセッサ2002がダウンリンク情報の送信周期および／または送信パターンを変更することを決定した場合に、第1のパターンに従って第2の周期を使用して、または第2のパターンに従って第1の周期を使用して、または第2のパターンに従って第2の周期を使用して、ダウンリンク情報を送信するようにさらに構成される。
【０２４８】
第2の周期は第1の周期よりも短く、第2パターンによって占有されるOFDMシンボルは、第1パターンによって占有されるOFDMシンボルよりも多い。
【０２４９】
ダウンリンク情報は、具体的には、ダウンリンク共通信号および／またはダウンリンク共通情報の一部または全部を含むことができる。
【０２５０】
また、図21に示すように、本発明のこの実施形態で提供される第1の基地局200は、受信機2003をさらに含むことができる。
【０２５１】
プロセッサ2002は、UEによって送信されたアップリンクパイロットの測定値が指定値よりも大きいかどうかを検出するようにさらに構成される。
【０２５２】
受信機2003は、UEによって送信された近接指示メッセージ、アクセスシーケンス、またはスケジューリング要求信号を受信するように構成される。
【０２５３】
受信機2003は、第2の基地局によって送信された第1の指示メッセージを受信するようにさらに構成され、第1の指示メッセージは、第1の基地局200に、ダウンリンク情報の送信周期および／または送信パターンを変更するように指示するために使用される。
【０２５４】
プロセッサ2002は、具体的には、予め設定された条件が満たされたと判定した後に、ダウンリンク情報の送信周期および／または送信パターンを変更することを決定するように構成され、予め設定された条件は、UEによって送信されたアップリンクパイロットの測定値が指定値よりも大きいことをプロセッサ2002が検出すること、または、受信機2003がUEによって送信された近接指示メッセージ、アクセスシーケンス、もしくはスケジューリング要求信号を受信すること、または、受信機2003が第2の基地局によって送信された第1の指示メッセージを受信すること、を含む。
【０２５５】
好ましくは、本発明のこの実施形態で提供される第1の基地局200において、送信機2001は、ダウンリンク情報を送信した後に、UEが第1の基地局200にアクセスした後に、第1のパターンに従って第1の周期を使用して予め設定された時点でダウンリンク情報を送信し、または予め設定された時間の後に第1のパターンに従って第1の周期を使用してダウンリンク情報を送信するようにさらに構成される。
【０２５６】
好ましくは、本発明のこの実施形態で提供される第1の基地局200において、送信機2001は、予め設定された条件が、受信機2003が第2の基地局によって送信された第1の指示メッセージを受信することである場合に、ダウンリンク情報を送信した後に、第2の周期の識別子および／または第2のパターンの識別子を第2の基地局に送信するようにさらに構成され、または、受信機2003は、予め設定された条件が、受信機2003が第2の基地局によって送信された第1の指示メッセージを受信することである場合に、ダウンリンク情報を送信した後に、第2の基地局によって送信された要求メッセージを受信するようにさらに構成され、要求メッセージは、第2の周期の識別子および／または第2のパターンの識別子を取得することを要求するために使用され、送信機2001は、要求応答メッセージを第2の基地局に送信するようにさらに構成され、要求応答メッセージは、第2の周期の識別子および／または第2のパターンの識別子を運ぶ。
【０２５７】
オプションとして、本発明のこの実施形態で提供される第1の基地局200において、送信機2001は、予め設定された条件が、UEによって送信されたアップリンクパイロットの測定値が指定値よりも大きいことをプロセッサ2002が検出すること、または、受信機2003がUEによって送信された近接指示メッセージ、アクセスシーケンス、もしくはスケジューリング要求信号を受信すること、である場合に、ダウンリンク情報を送信した後に、第2の指示メッセージをUEに送信するようにさらに構成され、第2の指示メッセージは、ダウンリンク情報を送信するために第1の基地局200によって使用される周期および／またはパターンが変更されたことを示すために使用される。
【０２５８】
オプションとして、本発明のこの実施形態で提供される第1の基地局200において、第2の指示メッセージは、第2の周期の識別子および／または第2のパターンの識別子を運ぶ。
【０２５９】
オプションとして、本発明のこの実施形態で提供される第1の基地局200において、送信機2001は、ダウンリンク情報を送信した後に、第2の指示メッセージを第1の基地局200によってカバーされる少なくとも1つの第1のUEに送信するようにさらに構成される。
【０２６０】
従来技術とは異なり、本発明のこの実施形態で提供される第1の基地局を用いることにより、第1の基地局は固定周期を用いて、または固定パターンパターに従ってダウンリンク情報を送信するのではなく、（UEが第1の基地局のリソースを使用する場合には）ダウンリンク情報の送信周期および／または送信パターンを変更すると判定した場合に、比較的多くの時間周波数リソースを使用することによってダウンリンク情報を送信するので、UEは、時間内にダウンリンク情報を受信し、ダウンリンク情報に従って迅速に第1の基地局と無線接続を確立することができる。したがって、従来技術と比較して、本発明のこの実施形態で提供される第1の基地局によって、UEが時間内にダウンリンク情報を取得することができ、さらに基地局との無線接続を迅速に確立することができるので、UEがネットワークにアクセスするための時間が短縮され、さらにユーザエクスペリエンスが向上する。
【０２６１】
図22に示すように、本発明の別の実施形態は、受信機2201および送信機2202を含む第2の基地局220を提供する。
【０２６２】
受信機2201は、UEによって送信された指示情報を受信するように構成され、指示情報は、第1の基地局によって送信されたダウンリンクパイロットの測定値が指定値よりも大きいことをUEが検出したことを示すために使用される。
【０２６３】
送信機2202は、受信機2201がUEによって送信された指示情報を受信した後に、第1の指示メッセージを第1の基地局に送信するように構成され、第1の指示メッセージは、第1の基地局に、ダウンリンク情報を送信するための周期および／またはパターンを変更するように指示するために使用される。
【０２６４】
送信機2202は、第2の指示メッセージをUEに送信するようにさらに構成され、第2の指示メッセージは、ダウンリンク情報を送信するために第1の基地局によって使用される周期および／またはパターンが変更されたことを示すために使用される。
【０２６５】
具体的には、ダウンリンク情報は、ダウンリンク共通信号および／またはダウンリンク共通情報の一部または全部を含むことができる。
【０２６６】
さらに、図23に示すように、本発明のこの実施形態で提供される第2の基地局220は、プロセッサ2203をさらに含むことができる。
【０２６７】
プロセッサ2203は、送信機2202が第1の指示メッセージを第1の基地局に送信した後に、送信機2202が第2の指示メッセージをUEに送信する前に、第2の周期の識別子および／または第2のパターンの識別子を取得するように構成され、第2の周期は、第1の基地局がダウンリンク情報を送信するための周期を変更した後に取得された送信周期であり、第2のパターンは、第1の基地局がダウンリンク情報を送信するためのパターンを変更した後の送信パターンである。
【０２６８】
好ましくは、本発明のこの実施形態で提供される第2の基地局220において、プロセッサ2203は、具体的には、第1の基地局によって送信された第2の周期の識別子および／または第2のパターンの識別子を受信し、または、要求メッセージを第1の基地局に送信し、要求メッセージは、第2の周期の識別子および／または第2のパターンの識別子を取得することを要求するために使用され、第1の基地局によって送信された要求応答メッセージを受信し、要求応答メッセージに従って第2の周期の識別子および／または第2のパターンの識別子を取得するように構成され、要求応答メッセージは、第2の周期の識別子および／または第2のパターンの識別子を運ぶ。
【０２６９】
好ましくは、本発明のこの実施形態で提供される第2の基地局220において、送信機2202は、第1の指示メッセージを第1の基地局に送信した後に、第1の基地局によってカバーされる少なくとも1つの第1のUEに第2の指示メッセージを送信するようにさらに構成される。
【０２７０】
本発明のこの実施形態では、第2の基地局は、UEによって送信された指示情報を受信した後に、第1の基地局に第1の指示メッセージを送信し、第1の基地局に、ダウンリンク情報を送信するための周期および／またはパターンを変更するように指示する。このようにして、第2の基地局によって送信された指示メッセージを受信した後に、第1の基地局が、ダウンリンク情報の送信周期および／または送信パターンを変更する必要があると決定し、ダウンリンク情報の送信周期および／または送信パターンをさらに変更し、比較的多くの時間周波数リソースを用いてダウンリンク情報を送信することができるので、UEは、時間内にダウンリンク情報を受信し、ダウンリンク情報に従って第1の基地局との無線接続を迅速に確立することができる。したがって、従来技術と比較して、本発明のこの実施形態で提供される第2の基地局によって、UEが時間内にダウンリンク情報を取得することができ、さらに第1の基地局との無線接続を迅速に確立することができるので、UEがネットワークにアクセスするための時間が短縮され、さらにユーザエクスペリエンスが向上する。
【０２７１】
図24に示すように、本発明の別の実施形態は、プロセッサ2401および受信機2402を含むUE240を提供する。
【０２７２】
プロセッサ2401は、第1の基地局が、ダウンリンク情報を送信するための周期および／またはパターンを変更したことを判定するように構成される。
【０２７３】
プロセッサ2401は、ダウンリンク情報を送信するために第1の基地局によって使用される周期およびパターンを取得するようにさらに構成される。
【０２７４】
受信機2402は、第1の基地局によって送信されたダウンリンク情報を、周期およびパターンに従って受信するように構成される。
【０２７５】
具体的には、ダウンリンク情報は、ダウンリンク共通信号および／またはダウンリンク共通情報の一部または全部を含むことができる。
【０２７６】
好ましくは、本発明のこの実施形態で提供されるUE240において、プロセッサ2401は、第1の基地局によって送信されたダウンリンクパイロットの測定値が指定値よりも大きいかどうか、UE240によって取得されたフィンガープリント情報が予め格納されたフィンガープリント情報と一致するかどうか、UE240の現在位置の地理的位置情報が予め格納された地理的位置情報と一致するかどうか、を検出するようにさらに構成され、受信機2402は、第1の基地局または第2の基地局によって送信された指示メッセージを受信するようにさらに構成され、指示メッセージは、ダウンリンク情報を送信するために第1の基地局によって使用される周期および／またはパターンが変更されたことを示すために使用され、プロセッサ2401は、具体的には、予め設定された条件が満たされていると判定した後に、第1の基地局がダウンリンク情報を送信するための周期および／またはパターンを変更したと判定するように構成され、予め設定された条件は、プロセッサ2401が、第1の基地局によって送信されたダウンリンクパイロットの測定値が指定値よりも大きいことを検出すること、または、UE240によって取得されたフィンガープリント情報が予め格納されたフィンガープリント情報と一致すること、または、UE240の現在位置の地理的位置情報が予め格納された地理的位置情報と一致すること、または、受信機2402が第1の基地局または第2の基地局によって送信された指示メッセージを受信すること、を含む。
【０２７７】
また、図25に示すように、本発明のこの実施形態で提供されるUE240は、送信機2403をさらに含むことができる。
【０２７８】
送信機2403は、予め設定された条件が、プロセッサ2401が第1の基地局によって送信されたダウンリンクパイロットの測定値が指定値よりも大きいことを検出すること、または、UE240によって取得されたフィンガープリント情報が予め格納されたフィンガープリント情報と一致すること、または、UE240の現在位置の地理的位置情報が予め格納された地理的位置情報と一致すること、である場合に、予め設定された条件が満たされているとプロセッサ2401が判定した後に、第1の基地局に指示情報を送信するように構成され、指示情報は、プロセッサ2401が第1の基地局によって送信されたダウンリンクパイロットの測定値が指定値よりも大きいことを検出すること、または、UE240によって取得されたフィンガープリント情報が予め格納されたフィンガープリント情報と一致すること、または、UE240の現在位置の地理的位置情報が予め格納された地理的位置情報と一致すること、を示すために使用される。
【０２７９】
好ましくは、本発明のこの実施形態で提供されるUE240において、プロセッサ2401は、具体的には、予め設定された条件が、第1の基地局によって送信されたダウンリンクパイロットの測定値が指定値よりも大きいことが検出されること、または、UE240によって取得されたフィンガープリント情報が予め格納されたフィンガープリント情報と一致すること、または、UE240の現在位置の地理的位置情報が予め格納された地理的位置情報と一致すること、である場合に、予め格納された構成情報に従って、ダウンリンク情報を送信するために第1の基地局によって使用される周期およびパターンを取得するように構成される。
【０２８０】
可能な実施態様では、プロセッサ2401は、具体的には、予め設定された条件が、受信機2402が第1の基地局または第2の基地局によって送信された指示メッセージを受信することである場合に、指示メッセージが第2の周期のみを運んでいると判定し、指示メッセージで運ばれた第2の周期を取得し、予め格納された構成情報に従って第1のパターンを取得するように構成され、第2の周期は、第1の基地局がダウンリンク情報を送信するための周期を変更した後に取得された送信周期であり、第1のパターンは、第1の基地局がダウンリンク情報を送信するための周期を変更する前に取得された送信パターンであり、受信機2402は、具体的には、第1の基地局によって送信されたダウンリンク情報を、第2の周期および第1のパターンに従って受信するように構成される。
【０２８１】
可能な実施態様では、プロセッサ2401は、具体的には、予め設定された条件が、受信機2402が第1の基地局または第2の基地局によって送信された指示メッセージを受信することである場合に、指示メッセージが第2のパターンの識別子のみを運んでいると判定し、第2のパターンの識別子に従って第2のパターンを取得し、予め格納された構成情報に従って第1の周期を取得するように構成され、第2のパターンは、第1の基地局がダウンリンク情報を送信するためのパターンを変更した後に取得された送信パターンであり、第1の周期は、第1の基地局がダウンリンク情報を送信するためのパターンを変更する前に取得された送信周期であり、受信機2402は、具体的には、第1の基地局によって送信されたダウンリンク情報を、第1の周期および第2のパターンに従って受信するように構成される。
【０２８２】
可能な実施態様では、プロセッサ2401は、具体的には、予め設定された条件が、受信機2402が第1の基地局または第2の基地局によって送信された指示メッセージを受信することである場合に、指示メッセージが第2の周期の識別子および第2のパターンの識別子を運んでいると判定し、指示メッセージで運ばれた第2の周期の識別子および第2のパターンの識別子を取得し、第2のパターンの識別子に従って第2のパターンを取得するように構成され、第1の周期は、第1の基地局がダウンリンク情報を送信するための周期を変更した後に取得された送信周期であり、第2のパターンは、第1の基地局がダウンリンク情報を送信するためのパターンを変更した後に取得された送信パターンであり、受信機2402は、具体的には、第1の基地局によって送信されたダウンリンク情報を、第2の周期および第2のパターンに従って受信するように構成される。
【０２８３】
第1の基地局がダウンリンク情報を送信するための周期および／またはパターンを変更したことを判定した後に、本発明のこの実施形態で提供されるUEは、ダウンリンク情報を送信するために第1の基地局によって現在使用されている周期およびパターンを取得し、周期およびパターンに従って第1の基地局によって送信されたダウンリンク情報を受信する。したがって、本発明のこの実施形態で提供されるUEを用いることにより、基地局は、（基地局が固定された時間周波数リソースを使用してダウンリンク情報を送信したとしても）固定周期または固定パターンを用いてダウンリンク情報を送信しないで、比較的多くの時間周波数リソースを使用してダウンリンク情報を送信するために、ダウンリンク情報を送信するための周期および／またはパターンを変更する。このように、基地局がダウンリンク情報を送信するための周期および／またはパターンを変更したと判定した後に、UEはダウンリンク情報を時間内に受信し、ダウンリンク情報に従って基地局との無線接続を迅速に確立することができる。したがって、従来技術と比較して、本発明のこの実施形態で提供されるUEによって、UEが時間内にダウンリンク情報を取得することができ、さらに基地局との無線接続を迅速に確立することができるので、UEがネットワークにアクセスするための時間が短縮され、さらにユーザエクスペリエンスが向上する。
【０２８４】
便宜的かつ簡単な説明のために、上述した装置については、前述の機能モジュールの分割は単に説明のための例として使用されていることは、当業者には明白に理解できる。実際の応用では、前述の機能は異なるモジュールに割り当てられ、必要に応じて実現することができる。すなわち、装置の内部構成は、上述した機能のすべてまたは一部を実現するために異なる機能モジュールに分割される。前述のシステム、装置、およびユニットの詳細な動作プロセスについては、前述の方法の実施形態における対応するプロセスを参照することができ、詳細はここでは説明しない。
【０２８５】
本出願で提供されるいくつかの実施形態では、開示されたシステム、装置、および方法は、他の方法で実施することができることを理解されたい。例えば、記載した装置の実施形態は単なる一例に過ぎない。例えば、モジュールまたはユニットの分割は、単なる論理機能の分割であって、実際の実施では他の分割であってもよい。例えば、複数のユニットまたは構成要素は、組み合わせてもよいし、あるいは別のシステムに統合してもよいし、あるいはいくつかの特徴は無視してもよいし、実行しなくてもよい。さらに、表示または説明された相互結合または直接結合または通信接続は、装置またはユニット間のいくつかのインターフェース、間接結合、もしくは通信接続、または電気的接続、機械的接続、もしくは他の形態の接続により実施することができる。
【０２８６】
個別の部品として記載されたユニットは物理的に分離されてもよいし、されなくてもよく、ユニットとして表示された部品は物理的なユニットであってもよいし、そうでなくてもよく、物理的なユニットは1つの場所に配置されてもよいし、複数のネットワークユニット上に分散されてもよい。ユニットのいくつかまたは全部は、実施形態の解決策の目的を達成するための実際の必要に従って選択することができる。
【０２８７】
さらに、本発明の実施形態における機能ユニットは、1つの処理ユニットに統合してもよいし、あるいはユニットの各々が物理的に単独で存在してもよいし、あるいは2つ以上のユニットが1つのユニットに統合されてもよい。統合されたユニットは、ハードウェアの形態で実現されてもよいし、あるいは、ソフトウェア機能ユニットの形態で実現されてもよい。
【０２８８】
統合されたユニットがソフトウェア機能ユニットの形態で実現され、独立した製品として販売または使用される場合には、統合されたユニットはコンピュータ可読記憶媒体に格納することができる。このような理解を用いて、従来技術に本質的に寄与する本発明もしくはその一部の技術的解決策、または技術的解決策のすべてもしくは一部は、ソフトウェア製品の形態で実現することができる。ソフトウェア製品は、記憶媒体に格納され、本発明の実施形態において説明された方法のステップのすべてまたは一部を実行するために、コンピュータデバイス（パーソナルコンピュータ、サーバ、またはネットワークデバイスであってもよい）またはプロセッサに指示するためのいくつかの指示を含む。上記の記憶媒体は、USBフラッシュドライブ、リムーバブルハードディスク、読み出し専用メモリ（Read-Only Memory、ROM）、ランダムアクセスメモリ（Random Access Memory、RAM）、磁気ディスク、または光ディスクなどのプログラムコードを格納することができる任意の媒体を含む。
【０２８９】
上記の説明は、本発明の特定の実施態様に過ぎず、本発明の保護範囲を限定するものではない。本発明において開示される技術的範囲内で当業者が容易に想到する変形または置換は、本発明の保護範囲内に含まれるものとする。したがって、本発明の保護範囲は、特許請求の範囲の保護範囲に従うものとする。
【符号の説明】
【０２９０】
130  第1の基地局
150  第2の基地局
170  ユーザ機器（UE）
200  第1の基地局
220  第2の基地局
1301  送信部
1302  決定部
1303  検出部
1304  受信部
1501  受信部
1502  送信部
1503  取得部
1701  決定部
1702  取得部
1703  受信部
1704  検出部
1705  送信部
2001  送信機
2002  プロセッサ
2003  受信機
2201  受信機
2202  送信機
2203  プロセッサ
2401  プロセッサ
2402  受信機
2403  送信機
【図１】
0006704940.tif 000002
【図２ａ】
0006704940.tif 000003
【図２ｂ】
0006704940.tif 000004
【図２ｃ】
0006704940.tif 000005
【図２ｄ】
0006704940.tif 000006
【図３ａ】
0006704940.tif 000007
【図３ｂ】
0006704940.tif 000008
【図４】
0006704940.tif 000009
【図５】
0006704940.tif 000010
【図６】
0006704940.tif 000011
【図７】
0006704940.tif 000012
【図８】
0006704940.tif 000013
【図９】
0006704940.tif 000014
【図１０】
0006704940.tif 000015
【図１１ａ】
0006704940.tif 000016
【図１１ｂ】
0006704940.tif 000017
【図１２】
0006704940.tif 000018
【図１３】
0006704940.tif 000019
【図１４】
0006704940.tif 000020
【図１５】
0006704940.tif 000021
【図１６】
0006704940.tif 000022
【図１７】
0006704940.tif 000023
【図１８】
0006704940.tif 000024
【図１９】
0006704940.tif 000025
【図２０】
0006704940.tif 000026
【図２１】
0006704940.tif 000027
【図２２】
0006704940.tif 000028
【図２３】
0006704940.tif 000029
【図２４】
0006704940.tif 000030
【図２５】
0006704940.tif 000031